(57)【特許請求の範囲】
【請求項１】
予め定められた周波数帯域幅を有する要素周波数帯域を１個以上用いて信号の送信を行なう移動局装置であって、
異なる要素周波数帯域でＳＲＳ（Sounding Reference Signal）の送信とＰＵＣＣＨ（Physical Uplink Control Channel）の送信とが同一サブフレームに対して設定され、前記ＳＲＳの無線リソースと前記ＰＵＣＣＨの無線リソースとが前記サブフレーム内のある時間領域において重複する場合、前記サブフレームにおいて前記ＰＵＣＣＨと前記ＳＲＳとを送信するか、または前記サブフレームにおいて前記ＰＵＣＣＨを送信して前記ＳＲＳを送信しないかが、前記移動局装置の送信電力の制限を考慮して制御されることを特徴とする移動局装置。
【請求項２】
前記ＳＲＳの無線リソースと前記ＰＵＣＣＨの無線リソースとが前記サブフレーム内の何れの時間領域においても重複しない場合、前記サブフレームにおいて前記ＰＵＣＣＨと前記ＳＲＳとを送信することを特徴とする請求項１に記載の移動局装置。
【請求項３】
予め定められた周波数帯域幅を有する要素周波数帯域を１個以上用いて信号の送信を行なう移動局装置に用いられる通信方法であって、
異なる要素周波数帯域でＳＲＳ（Sounding Reference Signal）の送信とＰＵＣＣＨ（Physical Uplink Control Channel）の送信とが同一サブフレームに対して設定されるステップと、
前記ＳＲＳの無線リソースと前記ＰＵＣＣＨの無線リソースとが前記サブフレーム内のある時間領域において重複する場合、前記サブフレームにおいて前記ＰＵＣＣＨと前記ＳＲＳとを送信するか、または前記サブフレームにおいて前記ＰＵＣＣＨを送信して前記ＳＲＳを送信しないかが、前記移動局装置の送信電力の制限を考慮して制御されるステップと、を少なくとも含むことを特徴とする通信方法。
【請求項４】
前記ＳＲＳの無線リソースと前記ＰＵＣＣＨの無線リソースとが前記サブフレーム内の何れの時間領域においても重複しない場合、前記サブフレームにおいて前記ＰＵＣＣＨと前記ＳＲＳとを送信するステップを更に含むことを特徴とする請求項３に記載の通信方法。
【請求項５】
予め定められた周波数帯域幅を有する要素周波数帯域を１個以上用いて信号の送信を行なう移動局装置に実装される集積回路であって、
異なる要素周波数帯域でＳＲＳ（Sounding Reference Signal）の送信とＰＵＣＣＨ（Physical Uplink Control Channel）の送信とが同一サブフレームに対して設定され、前記ＳＲＳの無線リソースと前記ＰＵＣＣＨの無線リソースとが前記サブフレーム内のある時間領域において重複する場合、前記サブフレームにおいて前記ＰＵＣＣＨと前記ＳＲＳとを送信するか、または前記サブフレームにおいて前記ＰＵＣＣＨを送信して前記ＳＲＳを送信しないかが、前記移動局装置の送信電力の制限を考慮して制御される機能を含む一連の機能を、前記移動局装置に発揮させることを特徴とする集積回路。
【請求項６】
前記ＳＲＳの無線リソースと前記ＰＵＣＣＨの無線リソースとが前記サブフレーム内の何れの時間領域においても重複しない場合、前記サブフレームにおいて前記ＰＵＣＣＨと前記ＳＲＳとを送信することを特徴とする請求項５に記載の集積回路。
【発明の詳細な説明】
【技術分野】
【０００１】
本発明は、複数の移動局装置と基地局装置から構成される無線通信システムにおいて、上りリンクの参照信号と上りリンク制御チャネルの信号を効率的に制御し、移動局装置が適切に信号の送信を行なうことができる無線通信システムに関する。
【背景技術】
【０００２】
３ＧＰＰ（3rd Generation Partnership Project；第３世代パートナーシッププロジェクト）において、ＥＵＴＲＡ（Evolved Universal Terrestrial Radio Access；以下、「EUTRA」という）の規格が策定され、ＥＵＴＲＡを進化させた無線アクセス方式（Advanced EUTRA；以下、「A-EUTRA」という）の検討が開始されている。
【０００３】
＜EUTRA SRSについて＞
Ｅ−ＵＴＲＡでは、例えば、基地局装置が上りリンクのチャネル品質を測定するために、調査参照信号ＳＲＳ：Ｓｏｕｎｄｉｎｇ  Ｒｅｆｅｒｅｎｃｅ  Ｓｉｇｎａｌが仕様化されている。移動局装置は、基地局装置によって予め設定された無線リソースを用いて調査参照信号を送信する。移動局装置は、周期的に調査参照信号を送信するための無線リソースを割り当てられ、または１回のみ調査参照信号を送信するための無線リソースを割り当てられる。調査参照信号は、基地局装置によって予め設定された、上りリンクの周期的なサブフレーム（調査参照信号サブフレームSRS subframeと呼称する。）のみで送信される。また、調査参照信号は、上りリンクのサブフレームの最後のＳＣ−ＦＤＭＡ：Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓシンボルを用いて送信される。
【０００４】
＜EUTRA PUCCHについて＞
Ｅ−ＵＴＲＡでは、例えば、移動局装置がスケジューリング要求を送信するために、上りリンク制御チャネルＰＵＣＣＨ：Ｐｈｙｓｉｃａｌ  Ｕｐｌｉｎｋ  Ｃｏｎｔｒｏｌ  Ｃｈａｎｎｅｌが仕様化されている。スケジューリング要求とは、移動局装置が上りリンク共用チャネルＰＵＳＣＨ：Ｐｈｙｓｉｃａｌ  Ｕｐｌｉｎｋ  Ｓｈａｒｅｄ  Ｃｈａｎｎｅｌの無線リソースの割り当てを基地局装置に要求することを意味する。移動局装置は、スケジューリング要求を行なう場合に、基地局装置によって予め設定された周期的な無線リソースを用いて上りリンク制御チャネルの信号を送信する。移動局装置は、スケジューリング要求を行なわない場合、無線リソースが割り当てられていてもスケジューリング要求の信号を送信しない。
【０００５】
Ｅ−ＵＴＲＡでは、スケジューリング要求を送信するために用いられる上りリンク制御チャネルの信号のフォーマットは、２種類ある（以下、第１のフォーマット、第２のフォーマットと呼称する。）。第１のフォーマットは、調査参照信号が割り当てられる可能性のある時間領域の無線リソース、つまり調査参照信号が割り当てられる可能性のあるＳＣ−ＦＤＭＡシンボルがスケジューリング要求の送信に用いられるフォーマットであり、第２のフォーマットは、調査参照信号が割り当てられる可能性のある時間領域の無線リソース、つまり調査参照信号が割り当てられる可能性のあるＳＣ−ＦＤＭＡシンボルがスケジューリング要求の送信に用いられないフォーマットである。
【０００６】
＜EUTRA SRSとPUCCHの同時発生について＞
Ｅ−ＵＴＲＡでは、移動局装置が調査参照信号と上りリンク制御チャネルの信号を同時送信できるモードと、移動局装置が上りリンク制御チャネルの信号を送信する場合、調査参照信号を送信できないモードが基地局装置によって切り替えられて、用いられる。調査参照信号と上りリンク制御チャネルの信号が同一サブフレームで同時送信される場合、上りリンク制御チャネルの信号のフォーマットは、第２のフォーマットが用いられる。
【０００７】
より詳細には、調査参照信号サブフレームにおいて、上りリンク制御チャネルの信号のフォーマットに第１のフォーマットが用いられるか、第２のフォーマットが用いられるかを示す制御情報が、基地局装置より移動局装置に報知される。調査参照信号サブフレームにおいて上りリンク制御チャネルの信号のフォーマットに第１のフォーマットが用いられることを示す制御情報が基地局装置より示された場合、移動局装置は調査参照信号サブフレームで第１のフォーマットを用いて上りリンク制御チャネルの信号を送信し、更に調査参照信号の無線リソースを割り当てられた調査参照信号サブフレームで上りリンク制御チャネルの信号を送信する場合は調査参照信号を送信せず、上りリンク制御チャネルの信号のみを送信する。
【０００８】
調査参照信号サブフレームにおいて上りリンク制御チャネルの信号のフォーマットに第２のフォーマットが用いられることを示す制御情報が基地局装置より示された場合、移動局装置は調査参照信号サブフレームで第２のフォーマットを用いて上りリンク制御チャネルの信号を送信し、更に調査参照信号の無線リソースを割り当てられた調査参照信号サブフレームで上りリンク制御チャネルの信号を送信する場合は調査参照信号と上りリンク制御チャネルの信号を同時送信する。
【０００９】
＜Component carrier aggregationについて＞
一方、Ａ−ＥＵＴＲＡでは、ＥＵＴＲＡよりも広い周波数帯域に対応すること、およびＥＵＴＲＡとの互換性（compatibility）を確保することが検討されている。このため、
Ａ−ＥＵＴＲＡでは、基地局装置がＥＵＴＲＡの周波数帯域を一単位（要素周波数帯域）として、複数の要素周波数帯域から構成されるシステム帯域を用いた通信を行なう技術（周波数帯域集約：Spectrum aggregation、または、キャリア集約：Carrier aggregation
と呼称することがある。）が検討されている（なお、要素周波数帯域をキャリア要素：Carrier Component、または、コンポーネントキャリア：Component carrierと呼称することもある。）（非特許文献１）。この技術では、基地局装置は、ＥＵＴＲＡに対応した移動局装置と上りリンクおよび下りリンク各々において何れか１個の要素周波数帯域を用いて通信を行ない、Ａ−ＥＵＴＲＡに対応した移動局装置と上りリンクおよび下りリンク各々において１個以上の要素周波数帯域を用いて通信を行なう。
【先行技術文献】
【非特許文献】
【００１０】
【非特許文献１】3GPP TSG RAN1 #53bis、Warsaw、Poland、30 June - 4 July、2008、R1-082723“Text proposal for RAN1 TR on LTE-Advanced”
【発明の概要】
【発明が解決しようとする課題】
【００１１】
複数の要素周波数帯域を用いたＡ−ＥＵＴＲＡにおいても、移動局装置は調査参照信号と上りリンク制御チャネルの信号の送信処理を効率的に制御する必要がある。しかしながら、異なる要素周波数帯域で調査参照信号と上りリンク制御チャネルの信号が同時に生じた場合の移動局装置の信号の送信処理の制御については、発明者が現時点で知る限り、何れの文献にも記載されていない。基地局装置における上りリンクのチャネル品質を用いたスケジューリング、適応変調、送信電力制御の効率を向上させるためには、移動局装置ができる限り調査参照信号を送信できることが望ましい。一方、移動局装置のデータの送信完了までにかかる遅延を小さく維持するためには、移動局装置がスケジューリング要求を含む上りリンク制御チャネルの信号を確実に送信できることが望ましい。
【００１２】
本発明は、このような事情に鑑みてなされたものであり、複数の移動局装置と基地局装置から構成される無線通信システムにおいて、上りリンクの参照信号と上りリンク制御チャネルの信号を効率的に制御し、移動局装置が適切に信号の送信を行なうことができる無線通信システムを提供することを目的とする。
【課題を解決するための手段】
【００１３】
（１）上記の目的を達成するために、本発明は、以下のような手段を講じた。すなわち、本発明の移動局装置は、複数の移動局装置および前記複数の移動局装置と信号の送受信を行なう基地局装置から構成される無線通信システムに適用され、予め定められた周波数帯域幅を有する要素周波数帯域を１個以上用いて信号の送信を行なう移動局装置であって、チャネル品質を測定するための参照信号の無線リソースと上りリンク制御チャネルの無線リソースを設定する無線リソース制御部と、前記参照信号の無線リソースが設定された時間フレームで前記上りリンク制御チャネルの信号を送信する場合、同じ要素周波数帯域に各無線リソースが設定されたか、または異なる要素周波数帯域に各無線リソースが設定されたかに応じて、信号の送信処理を制御する同時送信制御部と、前記同時送信制御部の制御に基づき、前記参照信号および／または上りリンク制御チャネルの信号を送信する送信処理部と、を備えることを特徴とする。
【００１４】
このように、参照信号の無線リソースが設定された時間フレームで前記上りリンク制御チャネルの信号を送信する場合、同じ要素周波数帯域に各無線リソースが設定されたか、または異なる要素周波数帯域に各無線リソースが設定されたかに応じて、信号の送信処理を制御するので、上りリンク制御情報と参照信号とを効率的に送信することが可能となる。
【００１５】
（２）また、本発明の移動局装置において、前記同時送信制御部は、前記上りリンク制御チャネルの信号のフォーマットに応じて送信処理を制御することを特徴とする。
【００１６】
このように、上りリンク制御チャネルの信号のフォーマットに応じて送信処理を制御するので、各フォーマットに適した送信処理の制御を行ない、上りリンク制御情報と参照信号とを効率的に送信することが可能となる。
【００１７】
（３）また、本発明の移動局装置において、前記上りリンク制御チャネルの信号のフォーマットは、前記参照信号の無線リソースが割り当てられる可能性のある時間領域の無線リソースが用いられる第１のフォーマット、または前記参照信号の無線リソースが割り当てられる可能性のある時間領域の無線リソースが用いられない第２のフォーマットのいずれか一方であることを特徴とする。
【００１８】
このように、上りリンク制御チャネルの信号のフォーマットが、第１のフォーマットまたは第２のフォーマットのいずれか一方であるので、各フォーマットに適した送信処理の制御を行ない、上りリンク制御情報と参照信号とを効率的に送信することが可能となる。
【００１９】
（４）また、本発明の移動局装置において、前記同時送信制御部は、前記上りリンク制御チャネルの信号のフォーマットが第１のフォーマットであり、前記無線リソース制御部において同じ要素周波数帯域に前記参照信号と前記上りリンク制御チャネルの無線リソースが設定された場合、前記参照信号は送信せず、前記上りリンク制御チャネルの信号を送信するように制御する一方、前記上りリンク制御チャネルの信号のフォーマットが第１のフォーマットであり、前記無線リソース制御部において異なる要素周波数帯域に前記参照信号と前記上りリンク制御チャネルの無線リソースが設定された場合、前記参照信号と前記上りリンク制御チャネルの信号を同時に送信するように制御することを特徴とする。
【００２０】
このように、上りリンク制御チャネルの信号のフォーマットが第１のフォーマットである場合、移動局装置は参照信号と上りリンク制御チャネルの信号の無線リソースが同じ上りリンク要素周波数帯域に設定された場合、参照信号は送信せず、上りリンク制御チャネルの信号のみを送信するように制御するので、その上りリンク制御チャネルと同じ周波数領域の無線リソースが用いられる異なる移動局装置に対する上りリンク制御チャネルと同様の系列長の直交系列が適切に用いられ、それらの上りリンク制御チャネルの信号間の直交化を確実に実現することができる。また、参照信号と上りリンク制御チャネルの信号の無線リソースが異なる上りリンク要素周波数帯域に設定された場合、参照信号と上りリンク制御チャネルの信号を同時送信するように制御するので、その上りリンク制御チャネルと同じ周波数領域の無線リソースが用いられる異なる移動局装置に対する上りリンク制御チャネルの信号間との直交化を確実に実現しつつ、基地局装置は参照信号が送信された上りリンク要素周波数帯域の上りリンクのチャネル品質を測定することができる。これにより、移動局装置は確実にスケジューリング要求を基地局装置に送信してデータの送信完了までにかかる遅延を小さく維持し、基地局装置は測定した上りリンクのチャネル品質を用いてスケジューリング、適応変調、送信電力制御の効率を向上させることができる。
【００２１】
（５）また、本発明の移動局装置において、前記同時送信制御部は、前記上りリンク制御チャネルの信号のフォーマットが第２のフォーマットであり、前記無線リソース制御部において同じ要素周波数帯域に前記参照信号と前記上りリンク制御チャネルの無線リソースが設定された場合、前記参照信号と前記上りリンク制御チャネルの信号を同時に送信するように制御する一方、前記上りリンク制御チャネルの信号のフォーマットが第２のフォーマットであり、前記無線リソース制御部において異なる要素周波数帯域に前記参照信号と前記上りリンク制御チャネルの無線リソースが設定された場合、前記参照信号と前記上りリンク制御チャネルの信号を同時に送信するように制御することを特徴とする。
【００２２】
このように、上りリンク制御チャネルの信号のフォーマットが第２のフォーマットである場合、移動局装置は参照信号と上りリンク制御チャネルの信号の無線リソースが同じ上りリンク要素周波数帯域に設定された場合、参照信号と上りリンク制御チャネルの信号を同時送信するように制御するので、その上りリンク制御チャネルと同じ周波数領域の無線リソースが用いられる異なる移動局装置に対する上りリンク制御チャネルの信号間との直交化を確実に実現しつつ、基地局装置は参照信号が送信された上りリンク要素周波数帯域の上りリンクのチャネル品質を測定することができる。また、参照信号と上りリンク制御チャネルの信号の無線リソースが異なる上りリンク要素周波数帯域に設定された場合、参照信号と上りリンク制御チャネルの信号を同時送信するように制御するので、その上りリンク制御チャネルと同じ周波数領域の無線リソースが用いられる異なる移動局装置に対する上りリンク制御チャネルの信号間との直交化を確実に実現しつつ、基地局装置は参照信号が送信された上りリンク要素周波数帯域の上りリンクのチャネル品質を測定することができる。これにより、移動局装置は確実にスケジューリング要求を基地局装置に送信してデータの送信完了までにかかる遅延を小さく維持し、基地局装置は測定した上りリンクのチャネル品質を用いてスケジューリング、適応変調、送信電力制御の効率を向上させることができる。
【００２３】
（６）また、本発明の移動局装置において、前記同時送信制御部は、前記上りリンク制御チャネルの信号のフォーマットが第１のフォーマットであり、前記無線リソース制御部において異なる要素周波数帯域に前記参照信号と前記上りリンク制御チャネルの無線リソースが設定された場合、前記参照信号は送信せず、前記上りリンク制御チャネルの信号を送信するように制御する一方、前記上りリンク制御チャネルの信号のフォーマットが第２のフォーマットであり、前記無線リソース制御部において異なる要素周波数帯域に前記参照信号と前記上りリンク制御チャネルの無線リソースが設定された場合、前記参照信号と前記上りリンク制御チャネルの信号を同時に送信するように制御することを特徴とする。
【００２４】
このように、上りリンク制御チャネルの信号のフォーマットが第１のフォーマットであり、異なる上りリンク要素周波数帯域に参照信号と上りリンク制御チャネルの信号の無線リソースが設定された場合、参照信号は送信せず、上りリンク制御チャネルの信号を送信するように制御し、上りリンク制御チャネルの信号のフォーマットが第２のフォーマットであり、異なる上りリンク要素周波数帯域に参照信号と上りリンク制御チャネルの信号の無線リソースが設定された場合、参照信号と上りリンク制御チャネルの信号を同時送信するように制御するので、送信電力の制限を考慮して適切に上りリンク制御チャネルの信号と参照信号を送信することができる。送信可能な残りの送信電力が小さい移動局装置であり、異なる上りリンク要素周波数帯域の信号の同時送信が基地局装置より基本的に禁止された移動局装置は、上りリンク制御チャネルの信号に第１のフォーマットが用いられ、異なる上りリンク要素周波数帯域に参照信号と上りリンク制御チャネルの信号の無線リソースが設定された場合、送信電力の制限の理由から参照信号を送信せず、上りリンク制御チャネルの信号のみを送信するが、上りリンク制御チャネルの信号に第２のフォーマットが用いられ、異なる上りリンク要素周波数帯域に参照信号と上りリンク制御チャネルの信号の無線リソースが設定された場合、送信電力の制限を気にすることなく参照信号と上りリンク制御チャネルの信号を同一上りリンクサブフレームで同時送信することができる。異なる上りリンク要素周波数帯域の参照信号と上りリンク制御チャネルの信号の無線リソースがそれぞれ異なるＳＣ−ＦＤＭＡシンボルに設定され、移動局装置がＳＣ−ＦＤＭＡシンボル単位では異なる上りリンク要素周波数帯域の信号を実質的に同時送信せず、参照信号と上りリンク制御チャネルの信号のそれぞれに必要な送信電力は同時に発生することはないので、送信可能な残りの送信電力が小さい移動局装置は、上りリンク制御チャネルの信号のフォーマットが第２のフォーマットである場合、異なる上りリンク要素周波数帯域に無線リソースが設定された参照信号と上りリンク制御チャネルの信号を同一上りリンクサブフレームで同時送信することができる。
【００２５】
（７）また、本発明の通信方法は、複数の移動局装置および前記複数の移動局装置と信号の送受信を行なう基地局装置から構成される無線通信システムに適用され、予め定められた周波数帯域幅を有する要素周波数帯域を１個以上用いて信号の送信を行なう通信方法であって、前記移動局装置において、チャネル品質を測定するための参照信号の無線リソースと上りリンク制御チャネルの無線リソースを設定するステップと、前記参照信号の無線リソースが設定された時間フレームで前記上りリンク制御チャネルの信号を送信する場合、同じ要素周波数帯域に各無線リソースが設定されたか、または異なる要素周波数帯域に各無線リソースが設定されたかに応じて、信号の送信処理を制御するステップと、信号の送信処理の制御に基づき、前記参照信号および／または上りリンク制御チャネルの信号を送信するステップと、を少なくとも含むことを特徴とする。
【００２６】
このように、参照信号の無線リソースが設定された時間フレームで前記上りリンク制御チャネルの信号を送信する場合、同じ要素周波数帯域に各無線リソースが設定されたか、または異なる要素周波数帯域に各無線リソースが設定されたかに応じて、信号の送信処理を制御するので、上りリンク制御情報と参照信号とを効率的に送信することが可能となる。
【００２７】
（８）また、本発明の集積回路は、移動局装置に実装されることにより、前記移動局装置に複数の機能を発揮させる集積回路であって、基地局装置に対して、予め定められた周波数帯域幅を有する要素周波数帯域を１個以上用いて信号の送信を行なう機能と、チャネル品質を測定するための参照信号の無線リソースと上りリンク制御チャネルの無線リソースを設定する機能と、前記参照信号の無線リソースが設定された時間フレームで前記上りリンク制御チャネルの信号を送信する場合、同じ要素周波数帯域に各無線リソースが設定されたか、または異なる要素周波数帯域に各無線リソースが設定されたかに応じて、信号の送信処理を制御する機能と、信号の送信処理の制御に基づき、前記参照信号および／または上りリンク制御チャネルの信号を送信する機能と、を含む一連の機能を、前記移動局装置に発揮させることを特徴とする。
【００２８】
このように、参照信号の無線リソースが設定された時間フレームで前記上りリンク制御チャネルの信号を送信する場合、同じ要素周波数帯域に各無線リソースが設定されたか、または異なる要素周波数帯域に各無線リソースが設定されたかに応じて、信号の送信処理を制御するので、上りリンク制御情報と参照信号とを効率的に送信することが可能となる。
【００２９】
（９）また、本発明の無線通信システムは、複数の移動局装置および前記複数の移動局装置と予め定められた周波数帯域幅を有する要素周波数帯域を１個以上用いて信号の送受信を行なう基地局装置から構成される無線通信システムであって、前記基地局装置は、前記移動局装置から送信された信号を受信する受信処理部を備え、前記移動局装置は、チャネル品質を測定するための参照信号の無線リソースと上りリンク制御チャネルの無線リソースを設定する無線リソース制御部と、前記参照信号の無線リソースが設定された時間フレームで前記上りリンク制御チャネルの信号を送信する場合、同じ要素周波数帯域に各無線リソースが設定されたか、または異なる要素周波数帯域に各無線リソースが設定されたかに応じて、信号の送信処理を制御する同時送信制御部と、前記同時送信制御部の制御に基づき、前記参照信号および／または上りリンク制御チャネルの信号を送信する送信処理部と、を備えることを特徴とする。
【００３０】
このように、参照信号の無線リソースが設定された時間フレームで前記上りリンク制御チャネルの信号を送信する場合、同じ要素周波数帯域に各無線リソースが設定されたか、または異なる要素周波数帯域に各無線リソースが設定されたかに応じて、信号の送信処理を制御するので、上りリンク制御情報と参照信号とを効率的に送信することが可能となる。
【００３１】
（１０）また、本発明の制御プログラムは、複数の移動局装置および前記複数の移動局装置と信号の送受信を行なう基地局装置から構成される無線通信システムに適用され、予め定められた周波数帯域幅を有する要素周波数帯域を１個以上用いて信号の送信を行なう移動局装置の制御プログラムであって、チャネル品質を測定するための参照信号の無線リソースと上りリンク制御チャネルの無線リソースを設定する処理と、前記参照信号の無線リソースが設定された時間フレームで前記上りリンク制御チャネルの信号を送信する場合、同じ要素周波数帯域に各無線リソースが設定されたか、または異なる要素周波数帯域に各無線リソースが設定されたかに応じて、信号の送信処理を制御する処理と、信号の送信処理の制御に基づき、前記参照信号および／または上りリンク制御チャネルの信号を送信する処理と、を含む一連の処理を、コンピュータに読み取り可能および実行可能にコマンド化したことを特徴とする。
【００３２】
このように、参照信号の無線リソースが設定された時間フレームで前記上りリンク制御チャネルの信号を送信する場合、同じ要素周波数帯域に各無線リソースが設定されたか、または異なる要素周波数帯域に各無線リソースが設定されたかに応じて、信号の送信処理を制御するので、上りリンク制御情報と参照信号とを効率的に送信することが可能となる。
【発明の効果】
【００３３】
本発明によれば、移動局装置は、上りリンクの参照信号と上りリンク制御チャネルの信号の無線リソースが同一上りリンクサブフレームで設定された場合でも、適切に上りリンクの参照信号と上りリンク制御チャネルの信号の送信を行なうことができる。これにより、移動局装置は、確実に上りリンク制御チャネルの信号を基地局装置に送信してデータの送信完了までにかかる遅延を小さく維持し、基地局装置は、測定した上りリンクのチャネル品質を用いてスケジューリング、適応変調、送信電力制御の効率を向上させることができる。
【図面の簡単な説明】
【００３４】
【図１】本発明の実施形態に係る基地局装置３の構成を示す概略ブロック図である。
【図２】本発明の実施形態に係る基地局装置３の送信処理部１０７の構成を示す概略ブロック図である。
【図３】本発明の実施形態に係る基地局装置３の受信処理部１０１の構成を示す概略ブロック図である。
【図４】本発明の実施形態に係る移動局装置５の構成を示す概略ブロック図である。
【図５】本発明の実施形態に係る移動局装置５の受信処理部４０１の構成を示す概略ブロック図である。
【図６】本発明の実施形態に係る移動局装置５の送信処理部４０７の構成を示す概略ブロック図である。
【図７】本発明の実施形態における調査参照信号と上りリンク制御チャネルの信号に設定される無線リソースの組合せ例を示す図である。
【図８】本発明の実施形態に係る移動局装置５の調査参照信号と上りリンク制御チャネルの信号の無線リソースが同一上りリンクサブフレームに設定された場合の送信処理の一例を示すフローチャートである。
【図９】本発明の実施形態における調査参照信号と受信確認応答の送信用の上りリンク制御チャネルの信号に設定される無線リソースの組合せ例を示す図である。
【図１０】本発明の実施形態に係る無線通信システムの全体像についての概略を説明する図である。
【図１１】本発明の実施形態に係る基地局装置３から移動局装置５への下りリンクの無線フレーム（下りリンク無線フレームと呼称する。）の概略構成を示す図である。
【図１２】本発明の実施形態に係る移動局装置５から基地局装置３への上りリンクの無線フレーム（上りリンク無線フレームと呼称する。）の概略構成を示す図である。
【図１３】本発明の実施形態において、スケジューリング要求を送信するために用いられる上りリンク制御チャネルに乗算される直交系列を示す表である。
【発明を実施するための形態】
【００３５】
以下、図面を参照しながら本発明の実施形態について詳しく説明する。まず、図１０〜図１３を用いて、本実施形態に係る無線通信システムの全体像、および無線フレームの構成について説明する。次に、図１〜図６を用いて、本実施形態に係る無線通信システムの構成について説明する。次に、図７〜図８を用いて、本実施形態に係る無線通信システムの動作処理について説明する。
【００３６】
＜無線通信システムの全体像＞
図１０は、本発明の実施形態に係る無線通信システムの全体像についての概略を説明する図である。この図が示す無線通信システム１は、基地局装置３と、複数の移動局装置５Ａ、５Ｂ、５Ｃとが無線通信を行なう。また、この図は、基地局装置３から移動局装置５Ａ、５Ｂ、５Ｃへの通信方向である下りリンクが、下りリンクパイロットチャネル、下りリンク制御チャネル（PDCCH:Physical Downlink Control CHannelとも呼称する。）、お
よび下りリンク共用チャネル（PDSCH:Physical Downlink Shared CHannelとも呼称する。）を含んで構成されることを示す。また、この図は、移動局装置５Ａ、５Ｂ、５Ｃから基地局装置３への通信方向である上りリンクが、上りリンク共用チャネル（PUSCH:Physical
Uplink Shared CHannelとも呼称する。）、上りリンクパイロットチャネル、および上りリンク制御チャネル（PUCCH:Physical Uplink Control CHannelとも呼称する。）を含ん
で構成されることを示す。また、基地局装置３が管轄するエリアのことをセルと呼ぶ。以下、本実施形態において、移動局装置５Ａ、５Ｂ、５Ｃを移動局装置５と呼び、説明を行なう。
【００３７】
＜下りリンク無線フレームの構成＞
図１１は、本発明の実施形態に係る基地局装置３から移動局装置５への下りリンクの無線フレーム（下りリンク無線フレームと呼称する。）の概略構成を示す図である。この図において、横軸は周波数領域、縦軸は時間領域を表している。下りリンク無線フレームは、無線リソース割り当てなどの単位であり、下りリンクの予め決められた幅の周波数帯および時間帯からなるリソースブロックのペア（下りリンクリソースブロックペアと呼称する。）から構成される。１個の下りリンクリソースブロックペアは下りリンクの時間領域で連続する２個のリソースブロック（下りリンクリソースブロックと呼称する。）から構成される。
【００３８】
また、この図において、１個の下りリンクリソースブロックは、下りリンクの周波数領域において１２個のサブキャリア（下りリンクサブキャリアと呼称する。）から構成され、時間領域において７個のＯＦＤＭシンボルから構成される。下りリンクのシステム帯域幅（下りリンクシステム帯域幅と呼称する。）は、基地局装置３の下りリンクの通信帯域幅であり、下りリンクの複数の要素周波数帯域幅（下りリンク要素周波数帯域幅と呼称する。）から構成される。無線通信システム１において、下りリンクの要素周波数帯域（下りリンク要素周波数帯域と呼称する。）は予め定められた周波数帯域幅の帯域であり、下りリンク要素周波数帯域幅は下りリンク要素周波数帯域の周波数帯域幅である。例えば、４０ＭＨｚの帯域幅の下りリンクのシステム帯域（下りリンクシステム帯域と呼称する。）は、２個の２０ＭＨｚの帯域幅の下りリンク要素周波数帯域から構成される。
【００３９】
なお、下りリンク要素周波数帯域では下りリンク要素周波数帯域幅に応じて複数の下りリンクリソースブロックが配置される。例えば、２０ＭＨｚの帯域幅の下りリンク要素周波数帯域は、１００個の下りリンクリソースブロックから構成される。また、例えば、下りリンク要素周波数帯域幅は、ＥＵＴＲＡに対応した移動局装置が通信に用いることができる周波数帯域幅であり、下りリンクシステム帯域幅はＡ−ＥＵＴＲＡに対応した移動局装置が通信に用いることができる周波数帯域幅である。
【００４０】
また、この図が示す時間領域においては、７個のＯＦＤＭシンボルから構成されるスロット（下りリンクスロットと呼称する。）、２個の下りリンクスロットから構成されるサブフレーム（下りリンクサブフレームと呼称する。）、１０個の下りリンクサブフレームから構成される下りリンク無線フレームがある。なお、１個の下りリンクサブキャリアと１個のＯＦＤＭシンボルから構成されるユニットをリソースエレメント（下りリンクリソースエレメント）と呼ぶ。各下りリンクサブフレームには少なくとも、情報データの送信に用いられる下りリンク共用チャネル、制御データの送信に用いられる下りリンク制御チャネルが配置される。この図においては、下りリンク制御チャネルは下りリンクサブフレームの１番目から３番目までのＯＦＤＭシンボルから構成され、下りリンク共用チャネルは下りリンクサブフレームの４番目から１４番目までのＯＦＤＭシンボルから構成される。
【００４１】
この図において図示は省略するが、下りリンク共用チャネルおよび下りリンク制御チャネルの伝搬路変動の推定に用いられる下りリンクパイロットチャネルの参照信号（下りリンク参照信号と呼称する。）が複数の下りリンクリソースエレメントに分散して配置される。ここで、下りリンク参照信号は、下りリンクパイロットチャネルに用いられる、無線通信システム１において既知の信号である。
【００４２】
なお、１個の下りリンク共用チャネルは同一の下りリンク要素周波数帯域内の１個以上の下りリンクリソースブロックから構成され、１個の下りリンク制御チャネルは同一の下りリンク要素周波数帯域内の複数の下りリンクリソースエレメントから構成される。下りリンクシステム帯域内で複数の下りリンク共用チャネル、複数の下りリンク制御チャネルが配置される。基地局装置３は、ＥＵＴＲＡに対応した１つの移動局装置５に対して同一の下りリンクサブフレームで同一の下りリンク要素周波数帯域内で１個の下りリンク制御チャネルと１個の下りリンク共用チャネルを配置することができ、Ａ−ＥＵＴＲＡに対応した１つの移動局装置５に対して同一の下りリンクサブフレームで複数の下りリンク制御チャネルと複数の下りリンク共用チャネルを配置することができる。なお、基地局装置３は、Ａ−ＥＵＴＲＡに対応した１つの移動局装置５に対して同一の下りリンクサブフレームで、同一の下りリンク要素周波数帯域内で複数の下りリンク制御チャネルを配置することができるが、同一の下りリンク要素周波数帯域内で複数の下りリンク共用チャネルを配置することはできず、各下りリンク共用チャネルを異なる下りリンク要素周波数帯域に配置することはできる。
【００４３】
下りリンク制御チャネルは、移動局識別子、下りリンク共用チャネルの無線リソース割り当ての情報、上りリンク共用チャネルの無線リソース割り当ての情報、マルチアンテナ関連情報、変調方式、符号化率、再送パラメータなどの制御データから生成された信号が配置される。なお、１個の下りリンク制御チャネルは、１個の下りリンク共用チャネルの無線リソース割り当ての情報、または１個の上りリンク共用チャネルの無線リソース割り当ての情報しか含まず、複数の下りリンク共用チャネルの無線リソース割り当ての情報、または複数の上りリンク共用チャネルの無線リソース割り当ての情報を含まない。
【００４４】
＜上りリンク無線フレームの構成＞
図１２は、本発明の実施形態に係る移動局装置５から基地局装置３への上りリンクの無線フレーム（上りリンク無線フレームと呼称する。）の概略構成を示す図である。この図において、横軸は周波数領域、縦軸は時間領域を表している。上りリンク無線フレームは、無線リソース割り当てなどの単位であり、上りリンクの予め決められた幅の周波数帯および時間帯からなるリソースブロックのペア（上りリンクリソースブロックペアと呼称する。）から構成される。１個の上りリンクリソースブロックペアは、上りリンクの時間領域で連続する２個のリソースブロック（上りリンクリソースブロックと呼称する。）から構成される。
【００４５】
また、この図において、１個の上りリンクリソースブロックは、上りリンクの周波数領域において１２個のサブキャリア（上りリンクサブキャリアと呼称する。）から構成され、時間領域において７個のＳＣ−ＦＤＭＡシンボルから構成される。上りリンクのシステム帯域幅（上りリンクシステム帯域幅と呼称する。）は、基地局装置３の上りリンクの通信帯域幅であり、上りリンクの複数の要素周波数帯域幅（上りリンク要素周波数帯域幅と呼称する。）から構成される。無線通信システム１において、上りリンクの要素周波数帯域（上りリンク要素周波数帯域と呼称する。）は予め定められた周波数帯域幅の帯域であり、上りリンク要素周波数帯域幅は上りリンク要素周波数帯域の周波数帯域幅である。例えば、４０ＭＨｚの帯域幅の上りリンクのシステム帯域（上りリンクシステム帯域と呼称する。）は、２個の２０ＭＨｚの帯域幅の上りリンク要素周波数帯域から構成される。
【００４６】
なお、上りリンク要素周波数帯域では上りリンク要素周波数帯域幅に応じて複数の上りリンクリソースブロックが配置される。例えば、２０ＭＨｚの帯域幅の上りリンク要素周波数帯域は、１００個の上りリンクリソースブロックから構成される。また、例えば、上りリンク要素周波数帯域幅は、ＥＵＴＲＡに対応した移動局装置が通信に用いることができる周波数帯域幅であり、上りリンクシステム帯域幅はＡ−ＥＵＴＲＡに対応した移動局装置が通信に用いることができる周波数帯域幅である。
【００４７】
また、この図が示す時間領域においては、７個のＳＣ−ＦＤＭＡシンボルから構成されるスロット（上りリンクスロットと呼称する。）、２個の上りリンクスロットから構成されるサブフレーム（上りリンクサブフレームと呼称する。）、１０個の上りリンクサブフレームから構成される上りリンク無線フレームがある。なお、１個の上りリンクサブキャリアと１個のＳＣ−ＦＤＭＡシンボルから構成されるユニットをリソースエレメント（上りリンクリソースエレメントと呼称する。）と呼ぶ。
【００４８】
各上りリンクサブフレームには少なくとも、情報データの送信に用いられる上りリンク共用チャネル、制御データの送信に用いられる上りリンク制御チャネルが配置される。上りリンク制御チャネルは、スケジューリング要求、下りリンクに対するチャネル品質指標、または下りリンク共用チャネルに対する受信確認応答からなる制御データを送信するために用いられる。本発明は、スケジューリング要求を送信するために用いられる上りリンク制御チャネルを対象とする。
【００４９】
スケジューリング要求を送信するために用いられる上りリンク制御チャネルの信号のフォーマットは、２種類ある（以下、第１のフォーマット、第２のフォーマットと呼称する。）。図１２に示すように、第１のフォーマットは、調査参照信号が割り当てられる可能性のある時間領域の無線リソース、つまり調査参照信号が割り当てられる可能性のあるＳＣ−ＦＤＭＡシンボルが用いられるフォーマットであり、第２のフォーマットは、調査参照信号が割り当てられる可能性のある時間領域の無線リソース、つまり調査参照信号が割り当てられる可能性のあるＳＣ−ＦＤＭＡシンボルが用いられないフォーマットである。
【００５０】
第１のフォーマットは、上りリンクサブフレームの１番目の上りリンクスロットの１番目から７番目のＳＣ−ＦＤＭＡシンボルと２番目の上りリンクスロットの１番目から７番目のＳＣ−ＦＤＭＡシンボルが用いられる。第２のフォーマットは、上りリンクサブフレームの１番目の上りリンクスロットの１番目から７番目のＳＣ−ＦＤＭＡシンボルと２番目の上りリンクスロットの１番目から６番目のＳＣ−ＦＤＭＡシンボルが用いられる。第１のフォーマットは、上りリンクサブフレームの２番目の上りリンクスロットの７番目のＳＣ−ＦＤＭＡシンボルが用いられるが、第２のフォーマットは上りリンクサブフレームの２番目の上りリンクスロットの７番目のＳＣ−ＦＤＭＡシンボルが用いられない。スケジューリング要求を送信するために用いられる上りリンク制御チャネルは、時間領域で上りリンクスロット単位でＳＣ−ＦＤＭＡシンボルに直交系列が乗算される。
【００５１】
図１３は、本発明の実施形態において、スケジューリング要求を送信するために用いられる上りリンク制御チャネルに乗算される直交系列を示す表である。系列長の異なる２種類の直交系列が用いられ、各系列長に対して３個の直交系列が用いられる。第１のフォーマットの上りリンク制御チャネルに対しては、上りリンクサブフレームの１番目の上りリンクスロットと２番目の上りリンクスロットで系列長４の何れかの直交系列が用いられ、系列の各符号が各上りリンクスロットの１番目と２番目と６番目と７番目のＳＣ−ＦＤＭＡシンボルに乗算される。
【００５２】
第２のフォーマットの上りリンク制御チャネルに対しては、上りリンクサブフレームの１番目の上りリンクスロットで系列長４の何れかの直交系列が用いられ、直交系列の各符号が１番目の上りリンクスロットの１番目と２番目と６番目と７番目のＳＣ−ＦＤＭＡシンボルに乗算され、上りリンクサブフレームの２番目の上りリンクスロットで系列長３の何れかの直交系列が用いられ、直交系列の各符号が２番目の上りリンクスロットの１番目と２番目と６番目のＳＣ−ＦＤＭＡシンボルに乗算される。同じ上りリンクリソースブロックに複数の上りリンク制御チャネルが配置され、同一の上りリンクリソースブロックに配置される各上りリンク制御チャネルは直交系列によって直交多重される。また、適した直交多重を実現するために、少なくとも同一の上りリンクリソースブロックに配置される上りリンク制御チャネルには同一の系列長の直行系列が用いられる。
【００５３】
なお、１個の上りリンク共用チャネルは同一の上りリンク要素周波数帯域内の１個以上の上りリンクリソースブロックから構成され、１個の上りリンク制御チャネルは同一の上りリンク要素周波数帯域内において周波数領域に対称関係にあり、異なる上りリンクスロットに位置する２個の上りリンクリソースブロックから構成される。例えば、図１２において、最も周波数が低い上りリンク要素周波数帯域内の上りリンクサブフレーム内において、一番目の上りリンクスロットの最も周波数が低い上りリンクリソースブロックと、二番目の上りリンクスロットの最も周波数が高い上りリンクリソースブロックとにより、上りリンク制御チャネルに用いられる上りリンクリソースブロックペアの１個が構成される。
【００５４】
上りリンクシステム帯域内で複数の上りリンク共用チャネル、複数の上りリンク制御チャネルが配置される。基地局装置３は、ＥＵＴＲＡに対応した１つの移動局装置５に対して同一の上りリンクサブフレームで同一の上りリンク要素周波数帯域内で上りリンク制御チャネルの無線リソースと上りリンク共用チャネルの無線リソースを１個ずつ割り当てることができる。また、基地局装置３は、Ａ−ＥＵＴＲＡに対応した１つの移動局装置５に対して同一の上りリンクサブフレームで上りリンク要素周波数帯域毎に１個の上りリンク共用チャネルの無線リソースを割り当てることができる。なお、基地局装置３は、Ａ−ＥＵＴＲＡに対応した１つの移動局装置５に対して同一の上りリンクサブフレームで、同一の上りリンク要素周波数帯域内で複数の上りリンク共用チャネルの無線リソースを割り当てることはできず、各上りリンク共用チャネルの無線リソースを異なる上りリンク要素周波数帯域に割り当てることができる。
【００５５】
上りリンクパイロットチャネルは、上りリンク共用チャネルおよび上りリンク制御チャネルの伝搬路変動の推定に用いられる復調用上りリンクパイロットチャネルと、基地局装置３の上りリンク共用チャネルの周波数スケジューリングに用いられる参照用上りリンクパイロットチャネルとから構成される。なお、参照用上りリンクパイロットチャネルは、基地局装置３と移動局装置５の同期ずれの測定にも用いられる。
【００５６】
復調用上りリンクパイロットチャネルは、上りリンク共用チャネルと同じ上りリンクリソースブロック内に配置される場合と、上りリンク制御チャネルと同じ上りリンクリソースブロック内に配置される場合とで異なるＳＣ−ＦＤＭＡシンボルに参照信号（上りリンク参照信号と呼称する。）が配置される。ここで、上りリンク参照信号とは、上りリンクパイロットチャネルに用いられる、無線通信システム１において既知の信号である。
【００５７】
復調用上りリンクパイロットチャネルは、上りリンク共用チャネルと同じ上りリンクリソースブロック内に配置される場合、上りリンクスロット内の４番目のＳＣ−ＦＤＭＡシンボルに上りリンク参照信号（復調用パイロットチャネルの上りリンク参照信号を復調参照信号DM RS:DeModulation Reference Signalと呼称する。）が配置される。復調用上り
リンクパイロットチャネルは、スケジューリング要求からなる制御データを含む上りリンク制御チャネルと同じ上りリンクリソースブロック内に配置される場合、上りリンクスロット内の３番目と４番目と５番目のＳＣ−ＦＤＭＡシンボルに復調参照信号が配置される。復調参照信号は、受信確認応答からなる制御データを含む上りリンク制御チャネルと同じ上りリンクリソースブロック内に配置される場合、上りリンクスロット内の３番目と４番目と５番目のＳＣ−ＦＤＭＡシンボルに復調参照信号が配置される。復調参照信号は、チャネル品質指標からなる制御データを含む上りリンク制御チャネルと同じ上りリンクリソースブロック内に配置される場合、上りリンクスロット内の２番目と６番目のＳＣ−ＦＤＭＡシンボルに復調参照信号が配置される。
【００５８】
参照用上りリンクパイロットチャネルは、基地局装置３が決定した上りリンクリソースブロック内に配置され、上りリンクサブフレーム内の１４番目のＳＣ−ＦＤＭＡシンボル（上りリンクサブフレームの２番目の上りリンクスロットの７番目のSC-FDMAシンボル）
に上りリンク参照信号（参照用上りリンクパイロットチャネルの上りリンク参照信号を調査参照信号SRS:SoundingReference Signalと呼称する。）が配置される。調査参照信号は、セル内において基地局装置３が決定した周期の上りリンクサブフレーム（調査参照信号サブフレームSRS subframeと呼称する。）のみに配置される。調査参照信号サブフレームに対して、基地局装置３は移動局装置５毎に調査参照信号を送信する周期、上りリンクリソースブロックを割り当てる。
【００５９】
この図では、上りリンク制御チャネルが各上りリンク要素周波数帯域の最も端の上りリンクリソースブロックに配置された場合を示しているが、上りリンク要素周波数帯域の端から２番目、３番目などの上りリンクリソースブロックが上りリンク制御チャネルに用いられる場合もある。
【００６０】
なお、本発明の実施形態に係る無線通信システム１では、下りリンクにおいてＯＦＤＭ方式を適用し、上りリンクにおいてＮｘＤＦＴ−Ｓｐｒｅａｄ  ＯＦＤＭ方式を適用する。ここで、ＮｘＤＦＴ−Ｓｐｒｅａｄ  ＯＦＤＭ方式とは、上りリンク要素周波数帯域単位でＤＦＴ−Ｓｐｒｅａｄ  ＯＦＤＭ方式を用いて信号の送受信が行なわれる方式であり、複数の上りリンク要素周波数帯域を用いた無線通信システム１の上りリンクサブフレームにおいて複数のＤＦＴ−Ｓｐｒｅａｄ  ＯＦＤＭ送受信に関する処理部を用いて通信が行なわれる方式である。
【００６１】
（第１の実施形態）
＜基地局装置３の全体構成＞
以下、図１、図２、図３を用いて、本実施形態に係る基地局装置３の構成について説明する。図１は、本発明の実施形態に係る基地局装置３の構成を示す概略ブロック図である。この図に示すように、基地局装置３は、受信処理部１０１、無線リソース制御部１０３、制御部１０５、および、送信処理部１０７を含んで構成される。
【００６２】
受信処理部１０１は、制御部１０５の指示に従い、受信アンテナ１０９により移動局装置５から受信した、上りリンク制御チャネル、上りリンク共用チャネルの受信信号を復調用パイロットチャネルの上りリンク参照信号を用いて復調し、復号して、制御データ、情報データを抽出する。また、受信処理部１０１は、移動局装置５から受信した調査参照信号を用いて１個以上の上りリンクリソースブロックのチャネル品質を測定する。受信処理部１０１は、自装置が移動局装置５に上りリンク制御チャネルや調査参照信号の無線リソースを割り当てた上りリンクサブフレーム、上りリンクリソースブロックに対して制御データを抽出する処理やチャネル品質を測定する処理を行なう。受信処理部１０１は、何れの上りリンクサブフレーム、何れの上りリンクリソースブロックに対してどのような処理を行なうかを制御部１０５から指示される。受信処理部１０１は、抽出した制御データ、測定したチャネル品質を制御部１０５に出力し、情報データを上位層に出力する。受信処理部１０１の詳細については、後述する。
【００６３】
無線リソース制御部１０３は、移動局装置５各々の調査参照信号の無線リソース割り当て（送信周期、上りリンクリソースブロック）、調査参照信号サブフレームの周期、送信電力、下りリンク制御チャネルの無線リソース割り当て、上りリンク制御チャネルの無線リソース割り当て、下りリンク共用チャネルの無線リソース割り当て、上りリンク共用チャネルの無線リソース割り当て、各種チャネルの変調方式・符号化率などを設定する。また、無線リソース制御部１０３は、受信処理部１０１において上りリンク制御チャネルを用いて取得され、制御部１０５を介して入力された制御データに基づいて上りリンク共用チャネルの無線リソース割り当てなどを設定する。例えば、無線リソース制御部１０３は、制御データとしてスケジューリング要求を入力された場合、スケジューリング要求を送信してきた移動局装置５に対して上りリンク共用チャネルの無線リソース割り当てを行なう。また、無線リソース制御部１０３は、各上りリンク要素周波数帯域の調査参照信号サブフレームの上りリンク制御チャネルの信号のフォーマットに第１のフォーマットが用いられるか、第２のフォーマットが用いられるかを設定する。
【００６４】
無線リソース制御部１０３は、制御部１０５を通して入力された上りリンクのチャネル品質に基づき、上りリンク共用チャネルの無線リソース割り当て、送信電力の値などの設定を行なう。例えば、無線リソース制御部１０３は、移動局装置５に対してチャネル品質の良い上りリンクリソースブロックに上りリンク共用チャネルの無線リソース割り当てを行なったり、受信信号が所定の誤り率を実現できるようにチャネル品質に基づき送信電力の値を設定する。また、無線リソース制御部１０３は、移動局装置５から通知された送信可能な残りの送信電力に関する情報に基づき異なる上りリンク要素周波数帯域の信号の同時送信を制御し、送信可能な残りの送信電力が大きい場合、異なる上りリンク要素周波数帯域の信号の同時送信を移動局装置５に対して許可し、送信可能な残りの送信電力が小さい場合、異なる上りリンク要素周波数帯域の信号の同時送信を移動局装置５に対して禁止する。
【００６５】
無線リソース制御部１０３は、各種制御情報を制御部１０５に出力する。例えば、制御情報は、調査参照信号サブフレームにおいて、上りリンク制御チャネルの信号のフォーマットに第１のフォーマットが用いられるか、第２のフォーマットが用いられるかを示す制御情報や、調査参照信号の無線リソース割り当てを示す制御情報や、上りリンク制御チャネルの無線リソース割り当てを示す制御情報や、調査参照信号サブフレームの周期を示す制御情報、異なる上りリンク要素周波数帯域の信号の同時送信を許可するか、禁止するかを示す制御情報である。
【００６６】
制御部１０５は、無線リソース制御部１０３から入力された制御情報に基づき、下りリンク共用チャネルおよび下りリンク制御チャネルの無線リソース割り当て・変調方式・符号化率の制御を送信処理部１０７に対して行なう。また、制御部１０５は、制御情報に基づき、下りリンク制御チャネルを用いて送信する制御データを生成し、送信処理部１０７に出力する。また、制御部１０５は、調査参照信号の無線リソース割り当てを示す制御情報、調査参照信号サブフレームの周期を示す制御情報、上りリンク制御チャネルの無線リソース割り当てを示す制御情報、各上りリンク要素周波数帯域の調査参照信号サブフレームの上りリンク制御チャネルの信号のフォーマットに第１のフォーマットが用いられるか、第２のフォーマットが用いられるかを示す制御情報などを送信処理部１０７を介して移動局装置５に下りリンク共用チャネルを用いて送信するように制御を行なう。
【００６７】
制御部１０５は、無線リソース制御部１０３から入力された制御情報に基づき、上りリンク共用チャネルおよび上りリンク制御チャネルの無線リソース割り当て・変調方式・符号化率の制御を受信処理部１０１に対して行なう。また、制御部１０５は、無線リソース制御部１０３から入力された制御情報に基づき、調査参照信号を用いたチャネル品質の測定の制御を受信処理部１０１に対して行なう。また、制御部１０５は、移動局装置５によって上りリンク制御チャネルを用いて送信された制御データが受信処理部１０１より入力され、入力された制御データを無線リソース制御部１０３に出力する。
【００６８】
送信処理部１０７は、制御部１０５から入力された制御信号に基づき下りリンク制御チャネル、下りリンク共用チャネルを用いて送信する信号を生成して、送信アンテナ１１１を介して送信する。送信処理部１０７は、無線リソース制御部１０３から入力された、調査参照信号の無線リソース割り当てを示す制御情報、調査参照信号サブフレームの周期を示す制御情報、上りリンク制御チャネルの無線リソース割り当てを示す制御情報、各上りリンク要素周波数帯域の調査参照信号サブフレームの上りリンク制御チャネルの信号のフォーマットに第１のフォーマットが用いられるか、第２のフォーマットが用いられるかを示す制御情報、上位層から入力された情報データを下りリンク共用チャネルを用いて移動局装置５に対して送信し、制御部１０５から入力された制御データを下りリンク制御チャネルを用いて移動局装置５に対して送信する。なお、説明の簡略化のため、以降、情報データは数種の制御情報を含むものとする。送信処理部１０７の詳細については、後述する。
【００６９】
＜基地局装置３の送信処理部１０７の構成＞
以下、基地局装置３の送信処理部１０７の詳細について説明する。図２は、本発明の実施形態に係る基地局装置３の送信処理部１０７の構成を示す概略ブロック図である。この図に示すように、送信処理部１０７は、複数の下りリンク共用チャネル処理部２０１−１〜２０１−Ｍ（以下、下りリンク共用チャネル処理部２０１−１〜２０１−Ｍを合わせて下りリンク共用チャネル処理部２０１と表す）、複数の下りリンク制御チャネル処理部２０３−１〜２０３−Ｍ（以下、下りリンク制御チャネル処理部２０３−１〜２０３−Ｍを合わせて下りリンク制御チャネル処理部２０３と表す）、下りリンクパイロットチャネル処理部２０５、多重部２０７、ＩＦＦＴ（Inverse Fast Fourier Transform；高速逆フーリエ変換）部２０９、ＧＩ（Guard Interval；ガードインターバル）挿入部２１１、Ｄ／Ａ（Digital/Analog；ディジタルアナログ変換）部２１３、送信ＲＦ（Radio Frequency
；無線周波数）部２１５、および、送信アンテナ１１１を含んで構成される。なお、各下りリンク共用チャネル処理部２０１、各下りリンク制御チャネル処理部２０３は、それぞれ、同様の構成および機能を有するので、その一つを代表して説明する。
【００７０】
また、この図に示すように、下りリンク共用チャネル処理部２０１は、それぞれ、ターボ符号部２１９、および、データ変調部２２１、を備える。また、この図に示すように、下りリンク制御チャネル処理部２０３は、畳み込み符号部２２３、および、ＱＰＳＫ変調部２２５、を備える。下りリンク共用チャネル処理部２０１は、移動局装置５への情報データをＯＦＤＭ方式で伝送するためのベースバンド信号処理を行なう。ターボ符号部２１９は、入力された情報データを、制御部１０５から入力された符号化率で、データの誤り耐性を高めるためのターボ符号化を行ない、データ変調部２２１に出力する。データ変調部２２１は、ターボ符号部２１９が符号化したデータを、制御部１０５から入力された変調方式、例えば、ＱＰＳＫ、１６ＱＡＭ、６４ＱＡＭのような変調方式で変調し、変調シンボルの信号系列を生成する。データ変調部２２１は、生成した信号系列を、多重部２０７に出力する。
【００７１】
下りリンク制御チャネル処理部２０３は、制御部１０５から入力された制御データを、ＯＦＤＭ方式で伝送するためのベースバンド信号処理を行なう。畳み込み符号部２２３は、制御部１０５から入力された符号化率に基づき、制御データの誤り耐性を高めるための畳み込み符号化を行なう。ここで、制御データはビット単位で制御される。また、畳み込み符号部２２３は、制御部１０５から入力された符号化率に基づき、畳み込み符号化の処理を行なったビットに対して出力ビットの数を調整するためにレートマッチングも行なう。畳み込み符号部２２３は、符号化した制御データをＱＰＳＫ変調部２２５に出力する。ＱＰＳＫ変調部２２５は、畳み込み符号部２２３が符号化した制御データを、ＱＰＳＫ変調方式で変調し、変調した変調シンボルの信号系列を、多重部２０７に出力する。下りリンクパイロットチャネル処理部２０５は、移動局装置５において既知の信号である下りリンク参照信号（Cell specific RSとも呼称する。）を生成し、多重部２０７に出力する。
【００７２】
多重部２０７は、下りリンクパイロットチャネル処理部２０５から入力された信号と、下りリンク共用チャネル処理部２０１各々から入力された信号と、下りリンク制御チャネル処理部２０３各々から入力された信号とを、制御部１０５からの指示に従って、下りリンク無線フレームに多重する。無線リソース制御部１０３によって設定された下りリンク共用チャネルの無線リソース割り当て、下りリンク制御チャネルの無線リソース割り当てに関する制御情報が制御部１０５に入力され、その制御情報に基づき、制御部１０５は多重部２０７の処理を制御する。
【００７３】
なお、多重部２０７は、下りリンク共用チャネルと下りリンク制御チャネル間の多重を、図１１に示したように時間多重で行なう。また、多重部２０７は、下りリンクパイロットチャネルと、その他のチャネル間の多重は時間・周波数多重で行なう。また、多重部２０７は、各移動局装置５宛ての下りリンク共用チャネルの多重を下りリンクリソースブロックペア単位で行ない、１つの移動局装置５に対して複数の下りリンクリソースブロックペアを用いて下りリンク共用チャネルを多重することもある。また、多重部２０７は、各移動局装置５宛ての下りリンク制御チャネルの多重を同一の下りリンク要素周波数帯域内であり、ばらばらに分散した下りリンクリソースエレメントを複数用いて行なう。多重部２０７は、多重化した信号を、ＩＦＦＴ部２０９に出力する。
【００７４】
ＩＦＦＴ部２０９は、多重部２０７が多重化した信号を高速逆フーリエ変換し、ＯＦＤＭ方式の変調を行ない、ＧＩ挿入部２１１に出力する。ＧＩ挿入部２１１は、ＩＦＦＴ部２０９がＯＦＤＭ方式の変調を行なった信号に、ガードインターバルを付加することで、ＯＦＤＭ方式におけるシンボルからなるベースバンドのディジタル信号を生成する。周知のように、ガードインターバルは、伝送するシンボルの先頭または末尾の一部を複製することによって生成される。ＧＩ挿入部２１１は、生成したベースバンドのディジタル信号をＤ／Ａ部２１３に出力する。Ｄ／Ａ部２１３は、ＧＩ挿入部２１１から入力されたベースバンドのディジタル信号をアナログ信号に変換し、送信ＲＦ部２１５に出力する。送信ＲＦ部２１５は、Ｄ／Ａ部２１３から入力されたアナログ信号から、中間周波数の同相成分および直交成分を生成し、中間周波数帯域に対する余分な周波数成分を除去する。次に、送信ＲＦ部２１５は、中間周波数の信号を高周波数の信号に変換（アップコンバート）し、余分な周波数成分を除去し、電力増幅し、送信アンテナ１１１を介して、移動局装置５に送信する。
【００７５】
＜基地局装置３の受信処理部１０１の構成＞
以下、基地局装置３の受信処理部１０１の詳細について説明する。図３は、本発明の実施形態に係る基地局装置３の受信処理部１０１の構成を示す概略ブロック図である。この図に示すように、受信処理部１０１は、受信ＲＦ部３０１、Ａ／Ｄ（Analog/Digital；アナログディジタル変換）部３０３、要素周波数帯域分離部３０５、複数の上りリンク要素周波数帯域毎受信処理部３０７−１〜３０７−Ｍ（以下、上りリンク要素周波数帯域毎受信処理部３０７−１〜３０７−Ｍを上りリンク要素周波数帯域毎受信処理部３０７と表す）、を含んで構成される。また、この図に示すように、上りリンク要素周波数帯域毎受信処理部３０７は、シンボルタイミング検出部３０９、ＧＩ除去部３１１、ＦＦＴ部３１３、サブキャリアデマッピング部３１５、伝搬路推定部３１７、上りリンク共用チャネル用の伝搬路等化部３１９、上りリンク制御チャネル用の伝搬路等化部３２１、ＩＤＦＴ部３２３、データ復調部３２５、ターボ復号部３２７、上りリンク制御チャネル検出部３２９、および上りリンクチャネル品質測定部３３１を備える。なお、各上りリンク要素周波数帯域毎受信処理部３０７は、同様の構成および機能を有するので、その一つを代表して説明する。
【００７６】
受信ＲＦ部３０１は、受信アンテナ１０９で受信した信号を、適切に増幅し、中間周波数に変換し（ダウンコンバート）、不要な周波数成分を除去し、信号レベルが適切に維持されるように増幅レベルを制御し、受信した信号の同相成分および直交成分に基づいて、直交復調する。受信ＲＦ部３０１は、直交復調したアナログ信号を、Ａ／Ｄ部３０３に出力する。Ａ／Ｄ部３０３は、受信ＲＦ部３０１が直交復調したアナログ信号をディジタル信号に変換し、変換したディジタル信号を要素周波数帯域分離部３０５に出力する。要素周波数帯域分離部３０５は、上りリンクシステム帯域幅の上りリンク要素周波数帯域毎に受信信号を分離し、各上りリンク要素周波数帯域毎受信処理部３０７に出力する。
【００７７】
上りリンク要素周波数帯域毎受信処理部３０７は、上りリンク要素周波数帯域内の上りリンク共用チャネル、上りリンク制御チャネルの復調、復号を行ない、情報データ、制御データを検出する。また、上りリンク要素周波数帯域毎受信処理部３０７は、上りリンクのチャネル品質の測定を行なう。
【００７８】
シンボルタイミング検出部３０９は、要素周波数帯域分離部３０５より入力された信号に基づいて、シンボルのタイミングを検出し、検出したシンボル境界のタイミングを示す制御信号を、ＧＩ除去部３１１に出力する。ＧＩ除去部３１１は、シンボルタイミング検出部３０９からの制御信号に基づいて、要素周波数帯域分離部３０５より入力された信号からガードインターバルに相当する部分を除去し、残りの部分の信号を、ＦＦＴ部３１３に出力する。ＦＦＴ部３１３は、ＧＩ除去部３１１から入力された信号を高速フーリエ変換し、ＤＦＴ−Ｓｐｒｅａｄ−ＯＦＤＭ方式の復調を行ない、サブキャリアデマッピング部３１５に出力する。なお、ＦＦＴ部３１３のポイント数は、後述する移動局装置５のＩＦＦＴ部のポイント数と等しい。
【００７９】
サブキャリアデマッピング部３１５は、制御部１０５から入力された制御信号に基づき、ＦＦＴ部３１３が復調した信号を、上りリンクパイロットチャネル（復調用上りリンクパイロットチャネルと参照用上りリンクパイロットチャネル）の上りリンク参照信号（復調参照信号と調査参照信号）と、上りリンク共用チャネルの信号と、上りリンク制御チャネルの信号とに分離する。サブキャリアデマッピング部３１５は、分離した復調参照信号を伝搬路推定部３１７に出力し、分離した上りリンク共用チャネルの信号を上りリンク共用チャネル用の伝搬路等化部３１９に出力し、分離した上りリンク制御チャネルの信号を上りリンク制御チャネル用の伝搬路等化部３２１に出力し、また、分離した調査参照信号を上りリンクチャネル品質測定部３３１に出力する。
【００８０】
伝搬路推定部３１７は、サブキャリアデマッピング部３１５が分離した復調参照信号と既知の信号を用いて伝搬路の変動を推定する。伝搬路推定部３１７は、推定した伝搬路推定値を、上りリンク共用チャネル用の伝搬路等化部３１９と、上りリンク制御チャネル用の伝搬路等化部３２１に出力する。上りリンク共用チャネル用の伝搬路等化部３１９は、サブキャリアデマッピング部３１５が分離した上りリンク共用チャネルの信号の振幅および位相を、伝搬路推定部３１７から入力された伝搬路推定値に基づいて等化する。ここで、等化とは、信号が無線通信中に受けた伝搬路の変動を元に戻す処理のことを表す。上りリンク共用チャネル用の伝搬路等化部３１９は、調整した信号をＩＤＦＴ部３２３に出力する。
【００８１】
ＩＤＦＴ部３２３は、上りリンク共用チャネル用の伝搬路等化部３１９から入力された信号を離散逆フーリエ変換し、データ復調部３２５に出力する。データ復調部３２５は、ＩＤＦＴ部３２３が変換した上りリンク共用チャネルの信号の復調を行ない、復調した上りリンク共用チャネルの信号をターボ復号部３２７に出力する。この復調は、移動局装置５のデータ変調部で用いられる変調方式に対応した復調であり、変調方式は制御部１０５より入力される。ターボ復号部３２７は、データ復調部３２５から入力され、復調された上りリンク共用チャネルの信号から、情報データを復号する。符号化率は、制御部１０５より入力される。
【００８２】
上りリンク制御チャネル用の伝搬路等化部３２１は、サブキャリアデマッピング部３１５で分離された上りリンク制御チャネルの信号の振幅および位相を、伝搬路推定部３１７から入力された伝搬路推定値に基づいて等化する。上りリンク制御チャネル用の伝搬路等化部３２１は、等化した信号を上りリンク制御チャネル検出部３２９に出力する。上りリンク制御チャネル検出部３２９は、上りリンク制御チャネル用の伝搬路等化部３２１から入力された信号を送信された制御データ（スケジューリング要求、チャネル品質指標、受信確認応答）に応じて、復調、復号し、制御データを検出する。上りリンク制御チャネル検出部３２９は、スケジューリング要求を送信するために移動局装置５に割り当てられた無線リソースにおいて信号の検出を行なう。例えば、上りリンク制御チャネル検出部３２９は、スケジューリング要求を送信するために移動局装置５に割り当てられた上りリンクリソースブロックの信号に対し直交系列を乗算して合成し、合成した信号の電力が予め定められた閾値以上の場合、移動局装置５からのスケジューリング要求の信号を検出したと判定する。
【００８３】
なお、上りリンク制御チャネル検出部３２９は、移動局装置５で乗算される直交系列と同様の直交系列を用いる。上りリンク制御チャネル検出部３２９は、スケジューリング要求の信号を検出した場合、スケジューリング要求を検出したことを示す制御信号を生成し、制御部１０５に出力する。一方、上りリンク制御チャネル検出部３２９は、合成した信号の電力が予め定められた閾値より小さい場合、移動局装置５からのスケジューリング要求の信号を検出しなかったと判定する。この場合、上りリンク制御チャネル検出部３２９は、スケジューリング要求を検出しなかったことを示す制御信号を生成し、制御部１０５に出力する。また、上りリンク制御チャネル検出部３２９は、チャネル品質指標、受信確認応答を送信するために移動局装置５に割り当てられた上りリンクリソースブロックの信号であって、上りリンク制御チャネル用の伝搬路等化部３２１において等化された信号に対して、復調、復号を行ない、チャネル品質指標、受信確認応答を検出する。上りリンク制御チャネル検出部３２９は、検出した制御データを制御部１０５に出力する。
【００８４】
上りリンクチャネル品質測定部３３１は、サブキャリアデマッピング部３１５から入力された調査参照信号を用いてチャネル品質を測定し、上りリンクリソースブロックのチャネル品質の測定結果を制御部１０５に出力する。上りリンクチャネル品質測定部３３１は、どの上りリンクサブフレームの、どの上りリンクリソースブロックの信号に対して移動局装置５のチャネル品質の測定を行なうかが制御部１０５より指示される。
【００８５】
制御部１０５は、基地局装置３が、移動局装置５に下りリンク制御チャネルを用いて送信した制御データ、下りリンク共用チャネルを用いて送信した制御情報に基づいて、サブキャリアデマッピング部３１５、データ復調部３２５、ターボ復号部３２７、伝搬路推定部３１７、上りリンク制御チャネル検出部３２９、および上りリンクチャネル品質測定部３３１の制御を行なう。また、制御部１０５は、基地局装置３が移動局装置５に送信した制御データ、制御情報に基づき、各移動局装置５が送信した上りリンク共用チャネル、上りリンク制御チャネル、調査参照信号がどの無線リソース（上りリンクリソースブロック）に配置されているかを把握している。
【００８６】
＜移動局装置５の全体構成＞
以下、図４、図５、図６を用いて、本実施形態に係る移動局装置５の構成について説明する。図４は、本発明の実施形態に係る移動局装置５の構成を示す概略ブロック図である。この図に示すように、移動局装置５は、受信処理部４０１、無線リソース制御部４０３、制御部４０５、送信処理部４０７を含んで構成される。また、制御部４０５は、同時送信制御部４０５１を備える。
【００８７】
受信処理部４０１は、基地局装置３から信号を受信し、制御部４０５の指示に従い、受信信号を復調、復号する。受信処理部４０１は、自装置宛ての下りリンク制御チャネルの信号を検出した場合は、下りリンク制御チャネルの信号を復号して取得した制御データを制御部４０５に出力する。また、受信処理部４０１は、下りリンク制御チャネルに含まれる制御データを制御部４０５に出力した後の制御部４０５の指示に基づき、自装置宛ての下りリンク共用チャネルを復号して得た情報データを、制御部４０５を介して上位層に出力する。また、受信処理部４０１は、下りリンク共用チャネルを復号して得た基地局装置３の無線リソース制御部１０３で生成された制御情報を制御部４０５に出力し、また制御部４０５を介して自装置の無線リソース制御部４０３に出力する。
【００８８】
例えば、基地局装置３の無線リソース制御部１０３で生成された制御情報は、調査参照信号の無線リソース割り当てを示す制御情報、調査参照信号サブフレームの周期を示す制御情報、上りリンク制御チャネルの無線リソース割り当てを示す制御情報、各上りリンク要素周波数帯域の調査参照信号サブフレームの上りリンク制御チャネルの信号のフォーマットに第１のフォーマットが用いられるか、第２のフォーマットが用いられるかを示す制御情報を含む。また、受信処理部４０１は、各下りリンク要素周波数帯域の下りリンクパイロットチャネルの下りリンク参照信号を用いて下りリンクのチャネル品質を測定し、測定結果を制御部４０５に出力する。受信処理部４０１の詳細については後述する。
【００８９】
制御部４０５は、同時送信制御部４０５１を備える。制御部４０５は、下りリンク共用チャネルを用いて送信され、受信処理部４０１より入力されたデータを確認し、データの中で情報データを上位層に出力し、データの中で基地局装置３の無線リソース制御部１０３で生成された制御情報に基づいて、受信処理部４０１、送信処理部４０７を制御する。また、同様に、制御部４０５は、下りリンク制御チャネルを用いて送信され、受信処理部４０１より入力された制御データに基づいて、受信処理部４０１、送信処理部４０７を制御する。
【００９０】
同時送信制御部４０５１は、同一上りリンクサブフレーム（時間フレーム）で調査参照信号と上りリンク制御チャネルの無線リソースが基地局装置３より設定された場合、同じ上りリンク要素周波数帯域に各無線リソースが設定されたか、異なる上りリンク要素周波数帯域に各無線リソースが設定されたかに応じて、調査参照信号と上りリンク制御チャネルの信号の送信処理を制御し、送信処理部４０７に制御信号を出力する。また、同時送信制御部４０５１は、各上りリンク要素周波数帯域の調査参照信号サブフレームでスケジューリング要求を送信するために用いられる上りリンク制御チャネルの信号のフォーマットに応じて、調査参照信号と上りリンク制御チャネルの信号の送信処理を制御する。フォーマットは、調査参照信号の無線リソースが割り当てられる可能性のある時間領域の無線リソースが用いられる第１のフォーマットか、調査参照信号の無線リソースが割り当てられる可能性のある時間領域の無線リソースが用いられない第２のフォーマットからなる。
【００９１】
同時送信制御部４０５１は、上りリンク制御チャネルの信号の調査参照信号サブフレームのフォーマットが第１のフォーマットであり、無線リソース制御部４０３において同じ上りリンク要素周波数帯域に調査参照信号と上りリンク制御チャネルの無線リソースが同時に設定された場合、送信処理部４０７において調査参照信号は送信せず、上りリンク制御チャネルの信号を送信するように制御し、上りリンク制御チャネルの信号の調査参照信号サブフレームのフォーマットが第１のフォーマットであり、無線リソース制御部４０３において異なる上りリンク要素周波数帯域に調査参照信号と上りリンク制御チャネルの無線リソースが同時に設定された場合、送信処理部４０７において調査参照信号と上りリンク制御チャネルの信号を同時に送信するように制御する。
【００９２】
なお、同時送信制御部４０５１は、基地局装置３より異なる上りリンク要素周波数帯域の信号の同時送信を禁止された場合は、無線リソース制御部４０３において異なる上りリンク要素周波数帯域に調査参照信号と上りリンク制御チャネルの無線リソースが同時に設定された場合であっても、送信処理部４０７において調査参照信号は送信せず、上りリンク制御チャネルの信号を送信するように制御してもよい。基地局装置３は、移動局装置５から通知された送信可能な残りの送信電力に関する情報に基づき異なる上りリンク要素周波数帯域の信号の同時送信を制御し、送信可能な残りの送信電力が大きい場合、異なる上りリンク要素周波数帯域の信号の同時送信を許可し、送信可能な残りの送信電力が小さい場合、異なる上りリンク要素周波数帯域の信号の同時送信を禁止する。
【００９３】
同時送信制御部４０５１は、上りリンク制御チャネルの信号の調査参照信号サブフレームのフォーマットが第２のフォーマットであり、無線リソース制御部４０３において同じ上りリンク要素周波数帯域に調査参照信号と上りリンク制御チャネルの無線リソースが同時に設定された場合、送信処理部４０７において調査参照信号と上りリンク制御チャネルの信号を同時に送信するように制御し、上りリンク制御チャネルの信号の調査参照信号サブフレームのフォーマットが第２のフォーマットであり、無線リソース制御部４０３において異なる上りリンク要素周波数帯域に調査参照信号と上りリンク制御チャネルの無線リソースが同時に設定された場合、送信処理部４０７において調査参照信号と上りリンク制御チャネルの信号を同時に送信するように制御する。
【００９４】
なお、同時送信制御部４０５１は、基地局装置３より異なる上りリンク要素周波数帯域の信号の同時送信を基本的に禁止された場合であっても、上りリンク制御チャネルの信号のフォーマットが第２のフォーマットであり、無線リソース制御部４０３において異なる上りリンク要素周波数帯域に調査参照信号と上りリンク制御チャネルの無線リソースが同時に設定された場合、送信処理部４０７において調査参照信号と上りリンク制御チャネルの信号を同時に送信するように制御する。
【００９５】
また、同時送信制御部４０５１は、上りリンク制御チャネルの信号の調査参照信号サブフレームのフォーマットが第１のフォーマットであり、無線リソース制御部４０３において異なる上りリンク要素周波数帯域に調査参照信号と上りリンク制御チャネルの無線リソースが同時に設定された場合、送信処理部４０７において調査参照信号は送信せず、上りリンク制御チャネルの信号を送信するように制御し、上りリンク制御チャネルの信号の調査参照信号サブフレームのフォーマットが第２のフォーマットであり、無線リソース制御部４０３において異なる上りリンク要素周波数帯域に調査参照信号と上りリンク制御チャネルの無線リソースが同時に設定された場合、送信処理部４０７において調査参照信号と上りリンク制御チャネルの信号を同時に送信するように制御する。
【００９６】
つまり、同時送信制御部４０５１は、基地局装置３より異なる上りリンク要素周波数帯域の信号の同時送信を基本的に禁止された場合、上りリンク制御チャネルのフォーマットに応じて調査参照信号と上りリンク制御チャネルの信号の送信処理を制御し、第１のフォーマットの場合、送信処理部４０７において調査参照信号は送信せず、上りリンク制御チャネルの信号を送信するように制御し、第２のフォーマットの場合、送信処理部４０７において調査参照信号と上りリンク制御チャネルの信号を同時に送信するように制御する。制御部４０５は、同時送信制御部４０５１の制御に基づいて調査参照信号と上りリンク制御チャネルの信号を送信するように送信処理部４０７を制御する。
【００９７】
無線リソース制御部４０３は、基地局装置３の無線リソース制御部１０３で生成され、基地局装置３より通知された制御情報を保持すると共に、制御部４０５を介して受信処理部４０１、送信処理部４０７の制御を行なう。例えば、無線リソース制御部４０３は、調査参照信号の無線リソース割り当て（送信周期、上りリンクリソースブロック）、上りリンク共用チャネルと上りリンク制御チャネルと上りリンクパイロットチャネルの送信電力、上りリンク制御チャネルの無線リソース割り当て、各上りリンク要素周波数帯域の上りリンク制御チャネルの信号に用いられるフォーマットに関する制御信号を制御部４０５に出力する。
【００９８】
また、無線リソース制御部４０３は、スケジューリング要求を示す信号を基地局装置３より割り当てられた無線リソースを用いて送信するか否か判断し、スケジューリング要求を示す信号を送信すると判断した場合、その旨を示す制御信号を制御部４０５に出力し、送信処理部４０７で上りリンク制御チャネルを用いて信号を送信するように制御する。
【００９９】
送信処理部４０７は、制御部４０５の指示に従い、情報データ、制御データを符号化し、変調した信号を上りリンク共用チャネル、上りリンク制御チャネルの無線リソースに配置して、基地局装置３に送信アンテナ４１１を介して送信する。また、送信処理部４０７は、制御部４０５の指示に従い、調査参照信号を送信する。送信処理部４０７の詳細については後述する。なお、スケジューリング要求の送信用の上りリンク制御チャネルの無線リソース割り当てとして周期的な上りリンクサブフレームの上りリンクリソースブロックが移動局装置５に割り当てられる。
【０１００】
＜移動局装置５の受信処理部４０１＞
以下、移動局装置５の受信処理部４０１の詳細について説明する。図５は、本発明の実施形態に係る移動局装置５の受信処理部４０１の構成を示す概略ブロック図である。この図に示すように、受信処理部４０１は、受信ＲＦ部５０１、Ａ／Ｄ部５０３、シンボルタイミング検出部５０５、ＧＩ除去部５０７、ＦＦＴ部５０９、多重分離部５１１、伝搬路推定部５１３、下りリンクチャネル品質測定部５１５、下りリンク共用チャネル用の伝搬路補償部５１６、下りリンク共用チャネル復号部５１７、下りリンク制御チャネル用の伝搬路補償部５１９、および、下りリンク制御チャネル復号部５２１、を含んで構成される。また、この図に示すように、下りリンク共用チャネル復号部５１７は、データ復調部５２３、および、ターボ復号部５２５、を備える。また、この図に示すように、下りリンク制御チャネル復号部５２１は、ＱＰＳＫ復調部５２７、および、ビタビデコーダ部５２９、を備える。
【０１０１】
受信ＲＦ部５０１は、受信アンテナ４０９で受信した信号を、適切に増幅し、中間周波数に変換し（ダウンコンバート）、不要な周波数成分を除去し、信号レベルが適切に維持されるように増幅レベルを制御し、受信した信号の同相成分および直交成分に基づいて、直交復調する。受信ＲＦ部５０１は、直交復調したアナログ信号を、Ａ／Ｄ部５０３に出力する。
【０１０２】
Ａ／Ｄ部５０３は、受信ＲＦ部５０１が直交復調したアナログ信号をディジタル信号に変換し、変換したディジタル信号を、シンボルタイミング検出部５０５と、ＧＩ除去部５０７と、に出力する。シンボルタイミング検出部５０５は、Ａ／Ｄ部５０３が変換したディジタル信号に基づいて、シンボルのタイミングを検出し、検出したシンボル境界のタイミングを示す制御信号を、ＧＩ除去部５０７に出力する。ＧＩ除去部５０７は、シンボルタイミング検出部５０５からの制御信号に基づいて、Ａ／Ｄ部５０３の出力したディジタル信号からガードインターバルに相当する部分を除去し、残りの部分の信号を、ＦＦＴ部５０９に出力する。ＦＦＴ部５０９は、ＧＩ除去部５０７から入力された信号を高速フーリエ変換し、ＯＦＤＭ方式の復調を行ない、多重分離部５１１に出力する。
【０１０３】
多重分離部５１１は、制御部４０５から入力された制御信号に基づき、ＦＦＴ部５０９が復調した信号を、下りリンク制御チャネルの信号と、下りリンク共用チャネルの信号とに分離する。多重分離部５１１は、分離した下りリンク共用チャネルの信号を、下りリンク共用チャネル用の伝搬路補償部５１６に出力し、また、分離した下りリンク制御チャネルの信号を、下りリンク制御チャネル用の伝搬路補償部５１９に出力する。また、多重分離部５１１は、下りリンクパイロットチャネルが配置される下りリンクリソースエレメントを分離し、下りリンクパイロットチャネルの下りリンク参照信号を、伝搬路推定部５１３と、下りリンクチャネル品質測定部５１５に出力する。
【０１０４】
伝搬路推定部５１３は、多重分離部５１１が分離した下りリンクパイロットチャネルの下りリンク参照信号と既知の信号とを用いて伝搬路の変動を推定し、伝搬路の変動を補償するように、振幅および位相を調整するための伝搬路補償値を、下りリンク共用チャネル用の伝搬路補償部５１６と、下りリンク制御チャネル用の伝搬路補償部５１９に出力する。下りリンクチャネル品質測定部５１５は、下りリンクパイロットチャネルの下りリンク参照信号を用いて下りリンクのチャネル品質を測定し、下りリンクのチャネル品質の測定結果を制御部４０５に出力する。下りリンク共用チャネル用の伝搬路補償部５１６は、多重分離部５１１が分離した下りリンク共用チャネルの信号の振幅および位相を、伝搬路推定部５１３から入力された伝搬路補償値に従って調整する。下りリンク共用チャネル用の伝搬路補償部５１６は、伝搬路を調整した信号を下りリンク共用チャネル復号部５１７のデータ復調部５２３に出力する。
【０１０５】
下りリンク共用チャネル復号部５１７は、制御部４０５からの指示に基づき、下りリンク共用チャネルの復調、復号を行ない、情報データを検出する。データ復調部５２３は、伝搬路補償部５１６から入力された下りリンク共用チャネルの信号の復調を行ない、復調した下りリンク共用チャネルの信号をターボ復号部５２５に出力する。この復調は、基地局装置３のデータ変調部２２１で用いられる変調方式に対応した復調である。ターボ復号部５２５は、データ復調部５２３から入力され、復調された下りリンク共用チャネルの信号から情報データを復号し、制御部４０５を介して上位層に出力する。なお、下りリンク共用チャネルを用いて送信された、基地局装置３の無線リソース制御部１０３で生成された制御情報等も制御部４０５に出力され、制御部４０５を介して無線リソース制御部４０３にも出力される。
【０１０６】
下りリンク制御チャネル用の伝搬路補償部５１９は、多重分離部５１１が分離した下りリンク制御チャネルの信号の振幅および位相を、伝搬路推定部５１３から入力された伝搬路補償値に従って調整する。下りリンク制御チャネル用の伝搬路補償部５１９は、調整した信号を下りリンク制御チャネル復号部５２１のＱＰＳＫ復調部５２７に出力する。
【０１０７】
下りリンク制御チャネル復号部５２１は、以下のように、下りリンク制御チャネル用の伝搬路補償部５１９から入力された信号を復調、復号し、制御データを検出する。ＱＰＳＫ復調部５２７は、下りリンク制御チャネルの信号に対してＱＰＳＫ復調を行ない、ビタビデコーダ部５２９に出力する。ビタビデコーダ部５２９は、ＱＰＳＫ復調部５２７が復調した信号を復号し、復号した制御データを制御部４０５に出力する。ここで、この信号はビット単位で表現され、ビタビデコーダ部５２９は、入力ビットに対してビタビデコーディング処理を行なうビットの数を調整するためにレートデマッチングも行なう。
【０１０８】
なお、制御部４０５は、ビタビデコーダ部５２９より入力された制御データが誤りなく、自装置宛ての制御データかを判定し、誤りなく、自装置宛ての制御データと判定した場合、制御データに基づいて多重分離部５１１、データ復調部５２３、ターボ復号部５２５、および送信処理部４０７、を制御する。例えば、制御部４０５は、制御データが上りリンク共用チャネルの無線リソース割り当ての情報を含んでいた場合、送信処理部４０７に無線リソースを割り当てられた上りリンク要素周波数帯域で上りリンク共用チャネルの信号を送信するように制御する。
【０１０９】
＜移動局装置５の送信処理部４０７＞
図６は、本発明の実施形態に係る移動局装置５の送信処理部４０７の構成を示す概略ブロック図である。この図に示すように、送信処理部４０７は、複数の上りリンク要素周波数帯域毎送信処理部６０１−１〜６０１−Ｍ（以下、上りリンク要素周波数帯域毎送信処理部６０１−１〜６０１−Ｍを合わせて上りリンク要素周波数帯域毎送信処理部６０１と表す）、要素周波数帯域合成部６０３、Ｄ／Ａ部６０５、送信ＲＦ部６０７、および、送信アンテナ４１１を含んで構成される。また、この図に示すように、上りリンク要素周波数帯域毎送信処理部６０１は、ターボ符号部６１１、データ変調部６１３、ＤＦＴ部６１５、上りリンクパイロットチャネル処理部６１７、上りリンク制御チャネル処理部６１９、サブキャリアマッピング部６２１、ＩＦＦＴ部６２３、乗算部６２４、および、ＧＩ挿入部６２５、を備える。移動局装置５は、対応する数の上りリンク要素周波数帯域分の上りリンク要素周波数帯域毎送信処理部６０１を有する。なお、各上りリンク要素周波数帯域毎送信処理部６０１は、同様の構成および機能を有するので、その一つを代表して説明する。
【０１１０】
上りリンク要素周波数帯域毎送信処理部６０１は、情報データ、制御データに対して符号化、変調を行ない、上りリンク要素周波数帯域内の上りリンク共用チャネル、上りリンク制御チャネルを用いて送信する信号を生成する。また、上りリンク要素周波数帯域毎送信処理部６０１は、上りリンクパイロットチャネルを用いて送信する調査参照信号、復調参照信号を生成する。ターボ符号部６１１は、入力された情報データを、制御部４０５から指示された符号化率で、データの誤り耐性を高めるためのターボ符号化を行ない、データ変調部６１３に出力する。データ変調部６１３は、ターボ符号部６１１が符号化した符号データを、制御部４０５から指示された変調方式、例えば、ＱＰＳＫ、１６ＱＡＭ、６４ＱＡＭのような変調方式で変調し、変調シンボルの信号系列を生成する。データ変調部６１３は、生成した変調シンボルの信号系列を、ＤＦＴ部６１５に出力する。
【０１１１】
ＤＦＴ部６１５は、データ変調部６１３が出力した信号を離散フーリエ変換し、サブキャリアマッピング部６２１に出力する。上りリンク制御チャネル処理部６１９は、制御部４０５から入力された制御データを伝送するためのベースバンド信号処理を行なう。上りリンク制御チャネル処理部６１９に入力される制御データは、スケジューリング要求、下りリンクのチャネル品質指標、受信確認応答などである。上りリンク制御チャネル処理部６１９は、ベースバンド信号処理を行ない、生成した信号をサブキャリアマッピング部６２１に出力する。
【０１１２】
上りリンクパイロットチャネル処理部６１７は、復調参照信号と調査参照信号に用いる信号として、基地局装置３において既知の信号である上りリンク参照信号を制御部４０５からの指示に基づき生成し、サブキャリアマッピング部６２１に出力する。
【０１１３】
サブキャリアマッピング部６２１は、上りリンクパイロットチャネル処理部６１７から入力された信号と、ＤＦＴ部６１５から入力された信号と、上りリンク制御チャネル処理部６１９から入力された信号とを、制御部４０５からの指示に従ってサブキャリアに配置し、ＩＦＦＴ部６２３に出力する。なお、サブキャリアマッピング部６２１は、調査参照信号の配置、上りリンク共用チャネル内における復調参照信号の配置、上りリンク制御チャネル内における復調参照信号の配置を、図１２に示したように配置して、出力する。
【０１１４】
ＩＦＦＴ部６２３は、サブキャリアマッピング部６２１が出力した信号を高速逆フーリエ変換し、乗算部６２４に出力する。ここで、ＩＦＦＴ部６２３のポイント数はＤＦＴ部６１５のポイント数よりも多く、移動局装置５は、ＤＦＴ部６１５、サブキャリアマッピング部６２１、ＩＦＦＴ部６２３を用いることにより、上りリンク共用チャネルを用いて送信する信号に対してＤＦＴ−Ｓｐｒｅａｄ−ＯＦＤＭ方式の変調を行なう。乗算部６２４は、制御部４０５からの指示に従ってＳＣ−ＦＤＭＡシンボル単位で直交符号を乗算して、ＧＩ挿入部６２５に出力する。ここで、制御部４０５は、スケジューリング要求の制御データを含む上りリンク制御チャネルの信号に対して、図１３に示すような直交系列の各直交符号をＳＣ−ＦＤＭＡシンボルに乗算するように乗算部６２４を制御し、上りリンク共用チャネルの信号や調査参照信号や復調参照信号に対しては何も乗算せずに入力された信号をそのまま出力するように乗算部６２４を制御する。ＧＩ挿入部６２５は、乗算部６２４から入力された信号に、ガードインターバルを付加し、要素周波数帯域合成部６０３に出力する。
【０１１５】
要素周波数帯域合成部６０３は、各上りリンク要素周波数帯域毎送信処理部６０１より入力された上りリンク要素周波数帯域毎の信号を合成し、Ｄ／Ａ部６０５に出力する。Ｄ／Ａ部６０５は、要素周波数帯域合成部６０３から入力されたベースバンドのディジタル信号をアナログ信号に変換し、送信ＲＦ部６０７に出力する。送信ＲＦ部６０７は、Ｄ／Ａ部６０５から入力されたアナログ信号から、中間周波数の同相成分および直交成分を生成し、中間周波数帯域に対する余分な周波数成分を除去する。次に、送信ＲＦ部６０７は、中間周波数の信号を高周波数の信号に変換（アップコンバート）し、余分な周波数成分を除去し、電力増幅し、送信アンテナ４１１を介して、基地局装置３に送信する。以上の構成により、送信処理部４０７は、制御部４０５の制御に基づき調査参照信号と上りリンク制御チャネルの信号を基地局装置３に送信する。
【０１１６】
＜調査参照信号と上りリンク制御チャネルの信号の送信処理＞
調査参照信号と上りリンク制御チャネルの信号の送信処理について説明する。２個の上りリンク要素周波数帯域（第１の上りリンク要素周波数帯域、第２の上りリンク要素周波数帯域）が用いられる場合について説明する。図７は、本発明の実施形態における調査参照信号と上りリンク制御チャネルの信号に設定される無線リソースの組合せ例を示す図である。第１の上りリンク要素周波数帯域と第２の上りリンク要素周波数帯域において２個の上りリンクサブフレーム毎に調査参照信号サブフレームが設定された場合について説明する。また、第１の上りリンク要素周波数帯域において２個の調査参照信号サブフレーム毎に調査参照信号の無線リソースが割り当てられ、第２の上りリンク要素周波数帯域において４個の調査参照信号サブフレーム毎に調査参照信号の無線リソースが割り当てられた場合について説明する。また、第１の上りリンク要素周波数帯域に２個の上りリンクサブフレーム毎に上りリンク制御チャネルの信号の無線リソースが割り当てられた場合について説明する。また、第１の上りリンク要素周波数帯域において、上りリンクサブフレーム＃４までの調査参照信号サブフレームの上りリンク制御チャネルに第１のフォーマットが設定され、上りリンクサブフレーム＃５以降の調査参照信号サブフレームの上りリンク制御チャネルに第２のフォーマットが設定される場合について説明する。なお、調査参照信号サブフレームではない上りリンクサブフレームの上りリンク制御チャネルに対しては第１のフォーマットが設定されている。
【０１１７】
まず、一方の上りリンク要素周波数帯域にのみ調査参照信号と上りリンク制御チャネルの無線リソースが設定される場合について説明する。第１の上りリンク要素周波数帯域の調査参照信号サブフレームで第１のフォーマットの上りリンク制御チャネルが設定される場合について説明する。移動局装置５は、同一上りリンクサブフレームであって、第１の上りリンク要素周波数帯域で調査参照信号と上りリンク制御チャネルの信号の無線リソースが設定された場合（図７のCase#1）、調査参照信号を送信せず、上りリンク制御チャネルの信号のみ送信する。
【０１１８】
第１の上りリンク要素周波数帯域の調査参照信号サブフレームで第２のフォーマットの上りリンク制御チャネルが設定される場合について説明する。移動局装置５は、同一上りリンクサブフレームであって、第１の上りリンク要素周波数帯域で調査参照信号と上りリンク制御チャネルの信号の無線リソースが設定された場合（図７のCase#2）、調査参照信号と上りリンク制御チャネルの信号を同時送信する。
【０１１９】
次に、異なる上りリンク要素周波数帯域に調査参照信号と上りリンク制御チャネルの無線リソースが設定される場合について説明する。第１の上りリンク要素周波数帯域の調査参照信号サブフレームで第１のフォーマットの上りリンク制御チャネルが設定される場合について説明する。移動局装置５は、同一上りリンクサブフレームであって、第２の上りリンク要素周波数帯域で調査参照信号の無線リソースが設定され、第１の上りリンク要素周波数帯域で上りリンク制御チャネルの信号の無線リソースが設定された場合（図７のCase#3）、調査参照信号と上りリンク制御チャネルの信号を同時送信する。なお、送信可能な残りの送信電力の小さい移動局装置５は、基地局装置３からの指示に基づき、同一上りリンクサブフレームであって、異なる上りリンク要素周波数帯域で調査参照信号と上りリンク制御チャネルの信号の無線リソースが設定された場合、調査参照信号を送信せず、上りリンク制御チャネルの信号のみ送信する。
【０１２０】
第１の上りリンク要素周波数帯域の調査参照信号サブフレームで第２のフォーマットの上りリンク制御チャネルが設定される場合について説明する。移動局装置５は、同一上りリンクサブフレームであって、第２の上りリンク要素周波数帯域で調査参照信号の無線リソースが設定され、第１の上りリンク要素周波数帯域で上りリンク制御チャネルの信号の無線リソースが設定された場合（図７のCase#4）、調査参照信号と上りリンク制御チャネルの信号を同時送信する。なお、移動局装置５は、送信可能な残りの送信電力に係らず、同一上りリンクサブフレームであって、異なる上りリンク要素周波数帯域で調査参照信号と上りリンク制御チャネルの信号の無線リソースが設定され、上りリンク制御チャネルの信号のフォーマットが第２のフォーマットである場合、調査参照信号と上りリンク制御チャネルの信号を同時送信する。
【０１２１】
なお、移動局装置５は、スケジューリング要求の送信用の上りリンク制御チャネルの無線リソースが割り当てられた上りリンクサブフレームにおいて、スケジューリング要求を送信しない場合は、割り当てられた無線リソースを用いない。第１の上りリンク要素周波数帯域の調査参照信号サブフレームで第１のフォーマットの上りリンク制御チャネルが設定され、同一上りリンクサブフレームであって、第２の上りリンク要素周波数帯域で調査参照信号の無線リソースが設定され、第１の上りリンク要素周波数帯域で上りリンク制御チャネルの信号の無線リソースが設定された場合（図７のCase#3）であっても、移動局装置５はスケジューリング要求を基地局装置３に対して送信しないと判断した場合、調査参照信号のみを送信する。
【０１２２】
＜調査参照信号と上りリンク制御チャネルの信号の送信処理のフロー＞
図８は、本発明の実施形態に係る移動局装置５の調査参照信号と上りリンク制御チャネルの信号の無線リソースが同一上りリンクサブフレームに設定された場合の送信処理の一例を示すフローチャートである。図８は、上りリンクサブフレーム単位の処理を示す。同時送信制御部４０５１は、調査参照信号と上りリンク制御チャネルの信号が同じ上りリンク要素周波数帯域の無線リソースに設定されたか否かを判定する（ステップＳ１０１）。同時送信制御部４０５１は、調査参照信号と上りリンク制御チャネルの信号が同じ上りリンク要素周波数帯域の無線リソースに設定されたと判定した場合（ステップＳ１０１：YES）、上りリンク制御チャネルの信号のフォーマットは第１のフォーマットか否かを判定
する（ステップＳ１０２）。一方、同時送信制御部４０５１は、調査参照信号と上りリンク制御チャネルの信号が同じ上りリンク要素周波数帯域の無線リソースに設定されていない、つまり、調査参照信号と上りリンク制御チャネルの信号が異なる上りリンク要素周波数帯域の無線リソースに設定されたと判定した場合（ステップＳ１０１：NO）、異なる上りリンク要素周波数帯域の信号の同時送信が可能か否かを判定する（ステップＳ１０３）。なお、同時送信制御部４０５１は、基地局装置３より通知された、異なる上りリンク要素周波数帯域の信号の同時送信を許可するか、禁止するかを示す制御情報に基づいて、異なる上りリンク要素周波数帯域の信号の同時送信が可能か否かを判定する。
【０１２３】
ステップＳ１０２において、同時送信制御部４０５１は、上りリンク制御チャネルの信号のフォーマットが第１のフォーマットであると判定した場合（ステップＳ１０２：YES
）、調査参照信号を送信せず、上りリンク制御チャネルの信号のみ送信するように送信処理部４０７を制御する（ステップＳ１０４）。一方、ステップＳ１０２において、同時送信制御部４０５１は、上りリンク制御チャネルの信号のフォーマットが第１のフォーマットではない、つまり第２のフォーマットであると判定した場合（ステップＳ１０２：NO）、調査参照信号と上りリンク制御チャネルの信号を同時送信するように送信処理部４０７を制御する（ステップＳ１０５）。
【０１２４】
ステップＳ１０３において、同時送信制御部４０５１は、異なる上りリンク要素周波数帯域の信号の同時送信が可能と判定した場合（ステップＳ１０３：YES）、調査参照信号
と上りリンク制御チャネルの信号を同時送信するように送信処理部４０７を制御する（ステップＳ１０５）。一方、ステップＳ１０３において、同時送信制御部４０５１は、異なる上りリンク要素周波数帯域の信号の同時送信が可能ではないと判定した場合（ステップＳ１０３：NO）、上りリンク制御チャネルの信号のフォーマットが第２のフォーマットか否かを判定する（ステップＳ１０６）。
【０１２５】
同時送信制御部４０５１は、上りリンク制御チャネルの信号のフォーマットが第２のフォーマットであると判定した場合（ステップＳ１０６：YES）、調査参照信号と上りリン
ク制御チャネルの信号を同時送信するように送信処理部４０７を制御する（ステップＳ１０５）。一方、同時送信制御部４０５１は、上りリンク制御チャネルの信号のフォーマットが第２のフォーマットではない、つまり第１のフォーマットであると判定した場合、調査参照信号を送信せず、上りリンク制御チャネルの信号のみ送信するように送信処理部４０７を制御する（ステップＳ１０４）。ステップＳ１０４、ステップＳ１０５の後、移動局装置５は、調査参照信号と上りリンク制御チャネルの信号の送信処理の制御に関する処理を終了し、以降の上りリンクサブフレームに対して同様の処理を繰り返す。
【０１２６】
以上のように、本発明の実施形態では、移動局装置５は、調査参照信号と上りリンク制御チャネルの信号の無線リソースが同一上りリンクサブフレームで設定された場合、同じ上りリンク要素周波数帯域に各無線リソースが設定されたか、異なる上りリンク要素周波数帯域に各無線リソースが設定されたかに応じて、調査参照信号と上りリンク制御チャネルの信号の送信処理を制御することにより、適切に調査参照信号と上りリンク制御チャネルの信号の送信を行なうことができる。
【０１２７】
より詳細には、上りリンク制御チャネルの信号のフォーマットが、調査参照信号が割り当てられる可能性のある時間領域の無線リソース、つまり調査参照信号が割り当てられる可能性のあるＳＣ−ＦＤＭＡシンボルが用いられるフォーマットである第１のフォーマットである場合、移動局装置５は調査参照信号と上りリンク制御チャネルの信号の無線リソースが同じ上りリンク要素周波数帯域に設定された場合、調査参照信号は送信せず、上りリンク制御チャネルの信号のみを送信するように制御することにより、その上りリンク制御チャネルと同じ周波数領域の無線リソース（上りリンクリソースブロック）が用いられる異なる移動局装置５に対する上りリンク制御チャネルと同様の系列長の直交系列が適切に用いられ、それらの上りリンク制御チャネルの信号間の直交化を確実に実現することができる。
【０１２８】
移動局装置５は、調査参照信号と上りリンク制御チャネルの信号の無線リソースが異なる上りリンク要素周波数帯域に設定された場合、調査参照信号と上りリンク制御チャネルの信号を同時送信するように制御することにより、その上りリンク制御チャネルと同じ周波数領域の無線リソースが用いられる異なる移動局装置５に対する上りリンク制御チャネルの信号間との直交化を確実に実現しつつ、基地局装置３は調査参照信号が送信された上りリンク要素周波数帯域の上りリンクのチャネル品質を測定することができる。よって、移動局装置５は確実にスケジューリング要求を基地局装置３に送信してデータの送信完了までにかかる遅延を小さく維持し、基地局装置３は測定した上りリンクのチャネル品質を用いてスケジューリング、適応変調、送信電力制御の効率を向上させることができる。
【０１２９】
また、移動局装置５は、上りリンク制御チャネルの信号のフォーマットに応じて調査参照信号と上りリンク制御チャネルの信号の送信処理を制御することにより、各フォーマットに適した送信処理の制御を行なうことができる。移動局装置５は、第１のフォーマットに加えて、調査参照信号が割り当てられる可能性のある時間領域の無線リソース、つまり調査参照信号が割り当てられる可能性のあるＳＣ−ＦＤＭＡシンボルが用いられないフォーマットである第２のフォーマットを用いる。
【０１３０】
より詳細には、上りリンク制御チャネルの信号のフォーマットが第２のフォーマットである場合、移動局装置５は調査参照信号と上りリンク制御チャネルの信号の無線リソースが同じ上りリンク要素周波数帯域に設定された場合、調査参照信号と上りリンク制御チャネルの信号を同時送信するように制御することにより、その上りリンク制御チャネルと同じ周波数領域の無線リソースが用いられる異なる移動局装置５に対する上りリンク制御チャネルの信号間との直交化を確実に実現しつつ、基地局装置３は調査参照信号が送信された上りリンク要素周波数帯域の上りリンクのチャネル品質を測定することができる。
【０１３１】
移動局装置５は調査参照信号と上りリンク制御チャネルの信号の無線リソースが異なる上りリンク要素周波数帯域に設定された場合、調査参照信号と上りリンク制御チャネルの信号を同時送信するように制御することにより、その上りリンク制御チャネルと同じ周波数領域の無線リソースが用いられる異なる移動局装置５に対する上りリンク制御チャネルの信号間との直交化を確実に実現しつつ、基地局装置３は調査参照信号が送信された上りリンク要素周波数帯域の上りリンクのチャネル品質を測定することができる。よって、移動局装置５は確実にスケジューリング要求を基地局装置３に送信してデータの送信完了までにかかる遅延を小さく維持し、基地局装置３は測定した上りリンクのチャネル品質を用いてスケジューリング、適応変調、送信電力制御の効率を向上させることができる。
【０１３２】
送信可能な残りの送信電力が小さい移動局装置５であり、異なる上りリンク要素周波数帯域の信号の同時送信が基地局装置３より基本的に禁止された移動局装置５は、上りリンク制御チャネルの信号に第１のフォーマットが用いられ、異なる上りリンク要素周波数帯域に調査参照信号と上りリンク制御チャネルの信号の無線リソースが設定された場合、送信電力の制限の理由から調査参照信号を送信せず、上りリンク制御チャネルの信号のみを送信するが、上りリンク制御チャネルの信号に第２のフォーマットが用いられ、異なる上りリンク要素周波数帯域に調査参照信号と上りリンク制御チャネルの信号の無線リソースが設定された場合、送信電力の制限を気にすることなく調査参照信号と上りリンク制御チャネルの信号を同一上りリンクサブフレームで同時送信することができる。
【０１３３】
異なる上りリンク要素周波数帯域の調査参照信号と上りリンク制御チャネルの信号の無線リソースがそれぞれ異なるＳＣ−ＦＤＭＡシンボルに設定され、移動局装置５がＳＣ−ＦＤＭＡシンボル単位では異なる上りリンク要素周波数帯域の信号を実質的に同時送信せず、調査参照信号と上りリンク制御チャネルの信号のそれぞれに必要な送信電力は同時に発生することはないので、送信可能な残りの送信電力が小さい移動局装置５は、上りリンク制御チャネルの信号のフォーマットが第２のフォーマットである場合、異なる上りリンク要素周波数帯域に無線リソースが設定された調査参照信号と上りリンク制御チャネルの信号を同一上りリンクサブフレームで同時送信することができる。
【０１３４】
よって、送信可能な残りの送信電力が小さい移動局装置５は、上りリンク制御チャネルの信号のフォーマットが第１のフォーマットであり、異なる上りリンク要素周波数帯域に調査参照信号と上りリンク制御チャネルの信号の無線リソースが設定された場合、調査参照信号は送信せず、上りリンク制御チャネルの信号を送信するように制御し、上りリンク制御チャネルの信号のフォーマットが第２のフォーマットであり、異なる上りリンク要素周波数帯域に調査参照信号と上りリンク制御チャネルの信号の無線リソースが設定された場合、調査参照信号と上りリンク制御チャネルの信号を同時送信するように制御することにより、送信電力の制限を考慮して適切に上りリンク制御チャネルの信号と調査参照信号を送信することができる。
【０１３５】
なお、調査参照信号サブフレームではない上りリンクサブフレームでは上りリンク制御チャネルの信号のフォーマットは第１のフォーマットなので、調査参照信号と上りリンク制御チャネルの信号の無線リソースが異なる上りリンク要素周波数帯域に割り当てられ、上りリンク制御チャネルの信号の無線リソースが割り当てられた上りリンク要素周波数帯域の上りリンクサブフレームが調査参照信号サブフレームではない場合、送信可能な残りの送信電力が小さい移動局装置５は、調査参照信号を送信せず、上りリンク制御チャネルの信号のみ送信する。なお、ここで、調査参照信号の無線リソースが割り当てられた上りリンク要素周波数帯域に対する上りリンクサブフレームは調査参照信号サブフレームであり、上りリンク制御チャネルの信号の無線リソースが割り当てられた上りリンク要素周波数帯域に対する上りリンクサブフレームは調査参照信号サブフレームではない場合について説明している。送信可能な残りの送信電力が小さい移動局装置５は、調査参照信号と上りリンク制御チャネルの信号の無線リソースが異なる上りリンク要素周波数帯域に割り当てられ、上りリンク制御チャネルの信号の無線リソースが割り当てられた上りリンク要素周波数帯域の上りリンクサブフレームが調査参照信号サブフレームの場合に上りリンク制御チャネルの信号のフォーマットに応じて調査参照信号と上りリンク制御チャネルの信号を同時送信するか、上りリンク制御チャネルの信号のみ送信するかを判断する。
【０１３６】
なお、本発明は、スケジューリング要求の送信用の上りリンク制御チャネルの信号に限定されない。例えば、図１２に示すような第１のフォーマットと第２のフォーマットが用いられる受信確認応答の送信用の上りリンク制御チャネルの信号に対しても本発明は適用できる。移動局装置５は、調査参照信号サブフレームにおいて下りリンク共用チャネルの信号に対する受信確認応答を第１のフォーマット、または第２のフォーマットの上りリンク制御チャネルを用いて送信する。移動局装置５は、上記実施形態で説明したスケジューリング要求の送信用の上りリンク制御チャネルの場合と同様に、調査参照信号サブフレームにおいて上りリンク制御チャネルの信号のフォーマットに第１のフォーマットが用いられるか、第２のフォーマットが用いられるかを示す制御情報に基づき、受信確認応答の送信用の上りリンク制御チャネルの信号のフォーマットを選択する。
【０１３７】
図９は、本発明の実施形態における調査参照信号と受信確認応答の送信用の上りリンク制御チャネルの信号に設定される無線リソースの組合せ例を示す図である。ここでは、２個の上りリンク要素周波数帯域（第１の上りリンク要素周波数帯域、第２の上りリンク要素周波数帯域）が用いられる場合について説明する。第１の上りリンク要素周波数帯域と第２の上りリンク要素周波数帯域において２個の上りリンクサブフレーム毎に調査参照信号サブフレームが設定された場合について説明する。また、第１の上りリンク要素周波数帯域と第２の上りリンク要素周波数帯域において３個の調査参照信号サブフレーム毎に調査参照信号の無線リソースが割り当てられた場合について説明する。また、第１の上りリンク要素周波数帯域において、上りリンクサブフレーム＃４までの調査参照信号サブフレームの上りリンク制御チャネルに第１のフォーマットが設定され、上りリンクサブフレーム＃５以降の調査参照信号サブフレームの上りリンク制御チャネルに第２のフォーマットが設定される場合について説明する。
【０１３８】
まず、一方の上りリンク要素周波数帯域にのみ調査参照信号と上りリンク制御チャネルの無線リソースが設定される場合について説明する。第１の上りリンク要素周波数帯域の調査参照信号サブフレームで第１のフォーマットの上りリンク制御チャネルが設定される場合について説明する。移動局装置５は、同一上りリンクサブフレームであって、第１の上りリンク要素周波数帯域で調査参照信号と上りリンク制御チャネルの信号の無線リソースが設定された場合（図９のCase#5）、調査参照信号を送信せず、上りリンク制御チャネルの信号のみ送信する。
【０１３９】
第１の上りリンク要素周波数帯域の調査参照信号サブフレームで第２のフォーマットの上りリンク制御チャネルが設定される場合について説明する。移動局装置５は、同一上りリンクサブフレームであって、第１の上りリンク要素周波数帯域で調査参照信号と上りリンク制御チャネルの信号の無線リソースが設定された場合（図９のCase#6）、調査参照信号と上りリンク制御チャネルの信号を同時送信する。
【０１４０】
次に、異なる上りリンク要素周波数帯域に調査参照信号と上りリンク制御チャネルの無線リソースが設定される場合について説明する。第１の上りリンク要素周波数帯域の調査参照信号サブフレームで第１のフォーマットの上りリンク制御チャネルが設定される場合について説明する。移動局装置５は、同一上りリンクサブフレームであって、第２の上りリンク要素周波数帯域で調査参照信号の無線リソースが設定され、第１の上りリンク要素周波数帯域で上りリンク制御チャネルの信号の無線リソースが設定された場合（図９のCase#7）、調査参照信号と上りリンク制御チャネルの信号を同時送信する。なお、送信可能な残りの送信電力の小さい移動局装置５は、基地局装置３からの指示に基づき、同一上りリンクサブフレームであって、異なる上りリンク要素周波数帯域で調査参照信号と上りリンク制御チャネルの信号の無線リソースが設定された場合、調査参照信号を送信せず、上りリンク制御チャネルの信号のみ送信する。
【０１４１】
第１の上りリンク要素周波数帯域の調査参照信号サブフレームで第２のフォーマットの上りリンク制御チャネルが設定される場合について説明する。移動局装置５は、同一上りリンクサブフレームであって、第２の上りリンク要素周波数帯域で調査参照信号の無線リソースが設定され、第１の上りリンク要素周波数帯域で上りリンク制御チャネルの信号の無線リソースが設定された場合（図９のCase#8）、調査参照信号と上りリンク制御チャネルの信号を同時送信する。なお、移動局装置５は、送信可能な残りの送信電力に係らず、同一上りリンクサブフレームであって、異なる上りリンク要素周波数帯域で調査参照信号と上りリンク制御チャネルの信号の無線リソースが設定され、上りリンク制御チャネルの信号のフォーマットが第２のフォーマットである場合、調査参照信号と上りリンク制御チャネルの信号を同時送信する。
【０１４２】
なお、受信確認応答の送信用の上りリンク制御チャネルの信号の無線リソースは、下りリンク共用チャネルの信号の無線リソースが割り当てられた下りリンクサブフレームから一定期間後の、例えば４個の下りリンクサブフレーム後の上りリンクサブフレームに割り当てられる。受信確認応答の送信用の上りリンク制御チャネルの信号の無線リソースはスケジューリング要求の送信用の上りリンク制御チャネルの信号の無線リソースとは異なり、予め基地局装置３から周期的な無線リソースは割り当てられず、下りリンクサブフレーム毎に上りリンク制御チャネルの信号の無線リソースの割り当て結果が通知される。例えば、移動局装置５は下りリンク共用チャネルの無線リソース割り当ての情報を含む、自装置宛ての下りリンク制御チャネルを検出した場合、下りリンク制御チャネルの信号に用いられた無線リソースと対応する上りリンク制御チャネルの信号の無線リソースが割り当てられたと判断し、自装置宛ての下りリンク制御チャネルを検出しなかった場合、上りリンク制御チャネルの信号の無線リソースが割り当てられなかったと判断する。なお、下りリンクシステム帯域内の下りリンク制御チャネルの信号に用いられる可能性のある無線リソースと、上りリンクシステム帯域内の受信確認応答の送信用の上りリンク制御チャネルの信号に用いられる可能性のある無線リソースは予め対応付けられ、基地局装置３と移動局装置５はその対応付けを認識している。
【０１４３】
以上のように、本発明の移動局装置５は適切に調査参照信号と受信確認応答の送信用の上りリンク制御チャネルの信号の送信を行なうことができる。上りリンク制御チャネルの信号のフォーマットが第１のフォーマットである場合、移動局装置５は、調査参照信号と上りリンク制御チャネルの信号の無線リソースが同じ上りリンク要素周波数帯域に設定された場合、調査参照信号は送信せず、上りリンク制御チャネルの信号のみを送信するように制御することにより、その上りリンク制御チャネルと同じ周波数領域の無線リソース（上りリンクリソースブロック）が用いられる異なる移動局装置５に対する上りリンク制御チャネルと同様の系列長の直交系列が適切に用いられ、それらの上りリンク制御チャネルの信号間の直交化を確実に実現することができる。
【０１４４】
移動局装置５は、調査参照信号と上りリンク制御チャネルの信号の無線リソースが異なる上りリンク要素周波数帯域に設定された場合、調査参照信号と上りリンク制御チャネルの信号を同時送信するように制御することにより、その上りリンク制御チャネルと同じ周波数領域の無線リソースが用いられる異なる移動局装置５に対する上りリンク制御チャネルの信号間との直交化を確実に実現しつつ、基地局装置３は調査参照信号が送信された上りリンク要素周波数帯域の上りリンクのチャネル品質を測定することができる。よって、移動局装置５は確実に下りリンク共用チャネルの信号に対する受信結果を基地局装置３に送信して、基地局装置３は、不必要な再送を抑えて効率的な再送制御を実現することができ、さらに、基地局装置３は測定した上りリンクのチャネル品質を用いてスケジューリング、適応変調、送信電力制御の効率を向上させることができる。
【０１４５】
上りリンク制御チャネルの信号のフォーマットが第２のフォーマットである場合、移動局装置５は、調査参照信号と上りリンク制御チャネルの信号の無線リソースが同じ上りリンク要素周波数帯域に設定された場合、調査参照信号と上りリンク制御チャネルの信号を同時送信するように制御することにより、その上りリンク制御チャネルと同じ周波数領域の無線リソースが用いられる異なる移動局装置５に対する上りリンク制御チャネルの信号間との直交化を確実に実現しつつ、基地局装置３は調査参照信号が送信された上りリンク要素周波数帯域の上りリンクのチャネル品質を測定することができる。
【０１４６】
移動局装置５は、調査参照信号と上りリンク制御チャネルの信号の無線リソースが異なる上りリンク要素周波数帯域に設定された場合、調査参照信号と上りリンク制御チャネルの信号を同時送信するように制御することにより、その上りリンク制御チャネルと同じ周波数領域の無線リソースが用いられる異なる移動局装置５に対する上りリンク制御チャネルの信号間との直交化を確実に実現しつつ、基地局装置３は調査参照信号が送信された上りリンク要素周波数帯域の上りリンクのチャネル品質を測定することができる。
【０１４７】
移動局装置５は、確実に下りリンク共用チャネルの信号に対する受信結果を基地局装置３に送信して、基地局装置３は不必要な再送を抑えて効率的な再送制御を実現することができ、基地局装置３は測定した上りリンクのチャネル品質を用いてスケジューリング、適応変調、送信電力制御の効率を向上させることができる。送信可能な残りの送信電力が小さい移動局装置５であり、異なる上りリンク要素周波数帯域の信号の同時送信が基地局装置３より基本的に禁止された移動局装置５は、上りリンク制御チャネルの信号に第１のフォーマットが用いられ、異なる上りリンク要素周波数帯域に調査参照信号と上りリンク制御チャネルの信号の無線リソースが設定された場合、送信電力の制限の理由から調査参照信号を送信せず、上りリンク制御チャネルの信号のみを送信する。一方、移動局装置５は、上りリンク制御チャネルの信号に第２のフォーマットが用いられ、異なる上りリンク要素周波数帯域に調査参照信号と上りリンク制御チャネルの信号の無線リソースが設定された場合、送信電力の制限を気にすることなく調査参照信号と上りリンク制御チャネルの信号を同一上りリンクサブフレームで同時送信することができる。
【０１４８】
よって、送信可能な残りの送信電力が小さい移動局装置５は、上りリンク制御チャネルの信号のフォーマットが第１のフォーマットであり、異なる上りリンク要素周波数帯域に調査参照信号と上りリンク制御チャネルの信号の無線リソースが設定された場合、調査参照信号は送信せず、上りリンク制御チャネルの信号を送信するように制御し、上りリンク制御チャネルの信号のフォーマットが第２のフォーマットであり、異なる上りリンク要素周波数帯域に調査参照信号と上りリンク制御チャネルの信号の無線リソースが設定された場合、調査参照信号と上りリンク制御チャネルの信号を同時送信するように制御することにより、送信電力の制限を考慮して適切に受信確認応答の送信用の上りリンク制御チャネルの信号と調査参照信号を送信することができる。
【０１４９】
なお、本発明は、上記実施形態で説明に用いた上りリンク要素周波数帯域の数から構成される無線通信システム１に限定されない。異なる数の上りリンク要素周波数帯域から構成される無線通信システム１にも適用できる。
【０１５０】
なお、本発明の上記実施形態では、移動局装置５が下りリンク共用チャネルを用いて調査参照信号の無線リソースが予め設定される場合について示したが、サブフレーム毎に下りリンク制御チャネルを用いて調査参照信号の無線リソースの割り当てが行なわれる場合にも本発明は適用できる。基地局装置３は、下りリンクサブフレーム毎に移動局装置５に対して調査参照信号の無線リソースの割り当てを行なうか否かを判断し、調査参照信号の無線リソースの割り当てを行なうと判断した場合は下りリンク制御チャネルに調査参照信号の無線リソース割り当ての情報を含めて移動局装置５に対して送信する。
【０１５１】
移動局装置５は、調査参照信号の無線リソースの割り当てを含む自装置宛ての下りリンク制御チャネルの信号の検出処理を下りリンクサブフレーム毎に行ない、調査参照信号の無線リソースの割り当てを含む自装置宛ての下りリンク制御チャネルの信号を検出した場合、下りリンク制御チャネルの信号を検出した下りリンクサブフレームと対応する上りリンクサブフレーム、例えば４個後の下りリンクサブフレームに対応する上りリンクサブフレーム、または下りリンク制御チャネルの信号を検出した下りリンクサブフレームから一定期間後であって、最も時間的に近い調査参照信号サブフレーム、または予め決められた調査参照信号サブフレームで調査参照信号の無線リソースが割り当てられたと認識する。調査参照信号の無線リソースが割り当てられた上りリンクサブフレームと同一の上りリンクサブフレームで上りリンク制御チャネルの信号の無線リソースが割り当てられている場合、移動局装置５は同じ上りリンク要素周波数帯域に各無線リソースが設定されたか、異なる上りリンク要素周波数帯域に各無線リソースが設定されたかに応じて、調査参照信号と上りリンク制御チャネルの信号の送信処理を制御する。
【０１５２】
ここで、調査参照信号の無線リソース割り当ての情報を含む下りリンク制御チャネルの信号のフォーマットは、その他の情報を含む下りリンク制御チャネルの信号のフォーマットと異なってもよいし、同じフォーマットを流用してもよい。同じフォーマットが流用される場合、移動局装置５はフォーマットの一部の情報フィールドの値に応じて異なる情報フィールドの解釈を変更して、下りリンク制御チャネルの信号が調査参照信号の無線リソースの割り当ての情報を含むか、その他の情報を含むかを判断する。また、単一の下りリンク制御チャネルが、単一の移動局装置５の調査参照信号の無線リソース割り当ての情報を含んでもよいし、複数の移動局装置５の調査参照信号の無線リソース割り当ての情報を含んでもよい。また、移動局装置５とは、移動する端末に限らず、固定端末に移動局装置５の機能を実装することなどにより本発明を実現しても良い。
【０１５３】
以上説明した本発明の特徴的な手段は、集積回路に機能を実装し、制御することによっても実現することができる。すなわち、本発明の集積回路は、移動局装置５に実装されることにより、移動局装置５に複数の機能を発揮させる集積回路であって、基地局装置３に対して、予め定められた周波数帯域幅を有する要素周波数帯域を１個以上用いて信号の送信を行なう機能と、参照信号の無線リソースと上りリンク制御チャネルの無線リソースを設定する機能と、参照信号の無線リソースが設定された時間フレームで上りリンク制御チャネルの信号を送信する場合、同じ要素周波数帯域に各無線リソースが設定されたか、または異なる要素周波数帯域に各無線リソースが設定されたかに応じて、信号の送信処理を制御する機能と、信号の送信処理の制御に基づき、参照信号および／または上りリンク制御チャネルの信号を送信する機能と、を含む一連の機能を、前記移動局装置５に発揮させることを特徴とする。
【０１５４】
このように、本発明の集積回路を用いた移動局装置５は、調査参照信号と上りリンク制御チャネルの信号の無線リソースが同一上りリンクサブフレームで設定された場合、同じ上りリンク要素周波数帯域に各無線リソースが設定されたか、または異なる上りリンク要素周波数帯域に各無線リソースが設定されたかに応じて、調査参照信号と上りリンク制御チャネルの信号の送信処理を制御することにより、移動局装置５が適切に調査参照信号と上りリンク制御チャネルの信号の送信を行なうことができる。
【０１５５】
本発明に関わる移動局装置５および基地局装置３で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ROM、不揮発性メモリカード等）、光記録媒体（例え
ば、DVD、MO、MD、CD、BD等）、磁気記録媒体（例えば、磁気テープ、フレキシブルディ
スク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１５６】
また市場に流通させる場合には、可搬型の記録媒体にプログラムを格納して流通させたり、インターネット等のネットワークを介して接続されたサーバコンピュータに転送することができる。この場合、サーバコンピュータの記憶装置も本発明に含まれる。また、上述した実施形態における移動局装置５および基地局装置３の一部、または全部を典型的には集積回路であるＬＳＩとして実現してもよい。移動局装置５および基地局装置３の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【０１５７】
以上、この発明の実施形態を、図面を参照して詳述してきたが、具体的な構成はこの実施形態に限られるものではなく、この発明の要旨を逸脱しない範囲の設計等も特許請求の範囲に含まれる。
【符号の説明】
【０１５８】
３  基地局装置
５（Ａ〜Ｃ）  移動局装置
１０１  受信処理部
１０３  無線リソース制御部
１０５  制御部
１０７  送信処理部
１０９  受信アンテナ
１１１  送信アンテナ
２０１  下りリンク共用チャネル処理部
２０３  下りリンク制御チャネル処理部
２０５  下りリンクパイロットチャネル処理部
２０７  多重部
２０９  ＩＦＦＴ部
２１１  ＧＩ挿入部
２１３  Ｄ／Ａ部
２１５  送信ＲＦ部
２１９  ターボ符号部
２２１  データ変調部
２２３  畳み込み符号部
２２５  ＱＰＳＫ変調部
３０１  受信ＲＦ部
３０３  Ａ／Ｄ部
３０５  要素周波数帯域分離部
３０７  上りリンク要素周波数帯域毎受信処理部
３０９  シンボルタイミング検出部
３１１  ＧＩ除去部
３１３  ＦＦＴ部
３１５  サブキャリアデマッピング部
３１７  伝搬路推定部
３１９  伝搬路等化部（上りリンク共用チャネル用）
３２１  伝搬路等化部（上りリンク制御チャネル用）
３２３  ＩＤＦＴ部
３２５  データ復調部
３２７  ターボ復号部
３２９  上りリンク制御チャネル検出部
３３１  上りリンクチャネル品質測定部
４０１  受信処理部
４０３  無線リソース制御部
４０５  制御部
４０７  送信処理部
４０９  受信アンテナ
５０１  受信ＲＦ部
５０３  Ａ／Ｄ部
５０５  シンボルタイミング検出部
５０７  ＧＩ除去部
５０９  ＦＦＴ部
５１１  多重分離部
５１３  伝搬路推定部
５１５  下りリンクチャネル品質測定部
５１６  伝搬路補償部（下りリンク共用チャネル用）
５１７  下りリンク共用チャネル復号部
５１９  伝搬路補償部（下りリンク制御チャネル用）
５２１  下りリンク制御チャネル復号部
５２３  データ復調部
５２５  ターボ復号部
５２７  ＱＰＳＫ復調部
５２９  ビタビデコーダ部
６０１  上りリンク要素周波数帯域毎送信処理部
６０３  要素周波数帯域合成部
６０５  Ｄ／Ａ部
６０７  送信ＲＦ部
６１１  ターボ符号部
６１３  データ変調部
６１５  ＤＦＴ部
６１７  上りリンクパイロットチャネル処理部
６１９  上りリンク制御チャネル処理部
６２１  サブキャリアマッピング部
６２３  ＩＦＦＴ部
６２４  乗算部
６２５  ＧＩ挿入部
４０５１  同時送信制御部
【図１】
0005576975.tif 000002
【図２】
0005576975.tif 000003
【図３】
0005576975.tif 000004
【図４】
0005576975.tif 000005
【図５】
0005576975.tif 000006
【図６】
0005576975.tif 000007
【図７】
0005576975.tif 000008
【図８】
0005576975.tif 000009
【図９】
0005576975.tif 000010
【図１０】
0005576975.tif 000011
【図１１】
0005576975.tif 000012
【図１２】
0005576975.tif 000013
【図１３】
0005576975.tif 000014